(57)【特許請求の範囲】
【請求項１】
第１の複数のマップレイヤを有するマップを備えるロケーションアシスタンスデータを入手することと、ここにおいて、前記第１の複数のマップレイヤ内の各マップレイヤは、基地局アルマナック（ＢＳＡ）に記憶されたロケーションとアンテナの空間的に変動する順方向リンク較正（ＦＬＣ）値に関連付けられ、前記第１の複数のマップレイヤ内の各マップレイヤは、対応するロケーション粒度に関連付けられ、
前記ロケーションアシスタンスデータに基づいて、前記アンテナの信号測定値を備える測定セットを入手するために測定を実行することと、ここにおいて、前記ロケーションアシスタンスデータ内の少なくとも１つの空間的に変動するＦＬＣ値を備える較正は、前記測定セット内の少なくとも１つの測定値に適用され、
前記測定セットをＢＳＡサーバに送ることと
を備える、移動局（ＭＳ）上の方法。
【請求項２】
前記ロケーションアシスタンスデータを入手することは、
前記ＭＳのポジションのロケーション推定値とロケーション不確実性推定値とに基づいて、ネットワークエンティティに前記第１の複数のマップレイヤのうちの少なくとも１つのマップレイヤを要求すること
を備える、請求項１に記載の方法。
【請求項３】
前記測定セットを入手するために測定を実行することは、前記第１の複数のマップレイヤのうちの少なくとも１つのマップレイヤで指定される前記アンテナの前記信号測定値の期待される正確さと、前記ＭＳの先験的ロケーション推定値とに基づいて信号獲得方法を選択する
を備える、請求項１に記載の方法。
【請求項４】
前記ＭＳの前記先験的ロケーション推定値は、
前記ＭＳの最近のロケーション、または、
前記ＢＳＡ内の前記アンテナの境界を示すカバレージエリア情報、前記境界を示すカバレージエリア情報は、前記アンテナの受信信号強度情報を備え、
グローバルナビゲーションサテライトシステム（ＧＮＳＳ）ポジションフィックス、または、
ＧＮＳＳ測位ソースと非ＧＮＳＳ測位ソースとの組合せから入手されたハイブリッドポジションフィックス、前記非ＧＮＳＳ測位ソースは、地上送信機またはセンサのうちの１つまたは複数を備え、または
前記ＭＳの以前に計算されたロケーション
のうちの少なくとも１つに少なくとも部分的に基づいて決定される、請求項３に記載の方法。
【請求項５】
前記較正を前記測定セットに適用することによって前記ＭＳの改良されたロケーションと改良されたロケーション不確実性とを計算すること、ここにおいて、前記較正に使用される前記少なくとも１つの空間的に変動するＦＬＣ値は、先験的ポジション推定値のＦＬＣ値に対応する
をさらに備える、請求項３に記載の方法。
【請求項６】
前記ＭＳの前記改良されたロケーションと前記改良されたロケーション不確実性とに基づいて、前記ロケーションアシスタンスデータとして前記第１の複数のマップレイヤのうちの少なくとも１つの追加のマップレイヤを要求すること
をさらに備える、請求項５に記載の方法。
【請求項７】
前記少なくとも１つの追加のマップレイヤは、前記改良されたロケーションと前記改良されたロケーション不確実性とに対応する粒度で情報を提供する
請求項６に記載の方法。
【請求項８】
前記マップは、第２の複数のマップレイヤを備え、ここにおいて、前記第２の複数のマップレイヤは、
受信信号強度マップレイヤ、前記受信信号強度レイヤは、受信信号強度をマップロケーションに相関させ、または、
信号対雑音比（ＳＮＲ）マップレイヤ、前記ＳＮＲマップレイヤは、ＳＮＲをマップロケーションに相関させ、または、
見通し線（ＬＯＳ）マップレイヤ、前記ＬＯＳマップレイヤは、ＬＯＳ条件が１つもしくは複数のアンテナに関して可能性が高いマップロケーションを示し、または
非見通し線マップレイヤ、前記ＮＬＯＳマップレイヤは、ＮＬＯＳ条件もしくはボディブロックド条件が１つもしくは複数のアンテナに関して可能性が高いマップロケーションを示し、
マルチパスマップレイヤ、前記マルチパスマップレイヤは、前記ＢＳＡ内のロケーションに関する前記アンテナのマルチパスの範囲の表示をさらに提供し、または、
受信信号強度レイヤ、前記受信信号強度レイヤは、前記ＢＳＡ内のロケーションに関する前記アンテナの期待される絶対受信信号強度の表示をさらに提供する
のうちの少なくとも１つを備える、請求項１に記載の方法。
【請求項９】
前記マップは、第２の複数のマップレイヤを備え、ここにおいて、前記第２の複数のマップレイヤは、前記ＢＳＡに記憶されたロケーションに関する前記アンテナのマルチパスの範囲の表示を提供するために少なくとも１つのマルチパスレイヤを備え、ここにおいて、前記少なくとも１つのマルチパスレイヤは、
前記アンテナの長シャドウ領域を示すための長シャドウレイヤ、前記長シャドウレイヤは、除外ゾーン、マルチパスの大きさの表示、および前記長シャドウ領域内の前記アンテナの信号減衰レベルをさらに備え、または、
前記アンテナの短シャドウ領域を示すための短シャドウレイヤ、前記短シャドウレイヤは、前記短シャドウ領域内のアンテナ信号のタイミング粒度情報をさらに備え、または
前記アンテナの少なくとも１つのカバレージエリア内の一意の送信パターンを示すための送信するパターンレイヤ
のうちの少なくとも１つを備える、請求項１に記載の方法。
【請求項１０】
プロセッサと、ここにおいて、前記プロセッサは、
第１の複数のマップレイヤを有するマップを備えるロケーションアシスタンスデータを入手し、ここにおいて、前記第１の複数のマップレイヤ内の各マップレイヤは、基地局アルマナック（ＢＳＡ）に記憶されたロケーションとアンテナの空間的に変動する順方向リンク較正（ＦＬＣ）値に関連付けられ、前記第１の複数のマップレイヤ内の各マップレイヤは、対応するロケーション粒度に関連付けられ、
前記ロケーションアシスタンスデータに基づいて、前記アンテナの信号測定値を備える測定セットを入手するために測定を実行し、ここにおいて、前記ロケーションアシスタンスデータ内の少なくとも１つの空間的に変動するＦＬＣ値を備える較正は、前記測定セット内の少なくとも１つの測定値に適用される
ように構成され、
前記プロセッサに結合されたトランシーバと、前記トランシーバは、前記測定セットをＢＳＡサーバに送るためのものである
を備える移動局（ＭＳ）。
【請求項１１】
前記マップを備える前記ロケーションアシスタンスデータを入手するために、前記プロセッサは、
前記ＭＳの測定ポジションのロケーション推定値とロケーション不確実性推定値とに基づいて、ネットワークエンティティに前記第１の複数のマップレイヤのうちの少なくとも１つのマップレイヤを要求するように構成される、請求項１０に記載のＭＳ。
【請求項１２】
前記測定セットを入手するために測定を実行するために、前記プロセッサは、
前記第１の複数のマップレイヤのうちの少なくとも１つのマップレイヤで指定される前記アンテナの前記信号測定値の期待される正確さと、前記ＭＳの先験的ロケーション推定値とに基づいて信号獲得方法を選択するように構成される、請求項１０に記載のＭＳ。
【請求項１３】
前記ＭＳの前記先験的ロケーション推定値は、
前記ＭＳの最近のロケーション、または、
前記ＢＳＡ内の前記アンテナの境界を示すカバレージエリア情報、前記境界を示すカバレージエリア情報は、前記アンテナの受信信号強度情報を備え、
グローバルナビゲーションサテライトシステム（ＧＮＳＳ）ポジションフィックス、または、
ＧＮＳＳ測位ソースと非ＧＮＳＳ測位ソースとの組合せから入手されたハイブリッドポジションフィックス、前記非ＧＮＳＳ測位ソースは、地上送信機またはセンサのうちの１つまたは複数を備え、または
前記ＭＳの以前に計算されたロケーション
のうちの少なくとも１つに少なくとも部分的に基づいて決定される、請求項１２に記載のＭＳ。
【請求項１４】
前記プロセッサは、
前記較正を前記測定セットに適用することによって前記ＭＳの改良されたロケーションと改良されたロケーション不確実性とを計算する、ここにおいて、前記較正に使用される前記少なくとも１つの空間的に変動するＦＬＣ値は、先験的ポジション推定値のＦＬＣ値に対応する
ようにさらに構成される、請求項１２に記載のＭＳ。
【請求項１５】
前記プロセッサは、
前記ＭＳの前記改良されたロケーションと前記改良されたロケーション不確実性とに基づいて、前記ロケーションアシスタンスデータとして前記第１の複数のマップレイヤのうちの少なくとも１つの追加のマップレイヤを要求する
ようにさらに構成される、請求項１４に記載のＭＳ。
【請求項１６】
前記少なくとも１つの追加のマップレイヤは、前記改良されたロケーションと前記改良されたロケーション不確実性とに対応する粒度で情報を提供する、請求項１５に記載のＭＳ。
【請求項１７】
前記マップは、第２の複数のマップレイヤを備え、ここにおいて、前記第２の複数のマップレイヤは、
受信信号強度マップレイヤ、前記受信信号強度レイヤは、受信信号強度をマップロケーションに相関させ、
信号対雑音比（ＳＮＲ）マップレイヤ、前記ＳＮＲマップレイヤは、ＳＮＲをマップロケーションに相関させ、または、
見通し線（ＬＯＳ）マップレイヤ、前記ＬＯＳマップレイヤは、ＬＯＳ条件が１つもしくは複数のアンテナに関して可能性が高いマップロケーションを示し、または、
非見通し線（ＮＬＯＳ）マップレイヤ、前記ＮＬＯＳマップレイヤは、ＮＬＯＳ条件もしくはボディブロックド条件が１つもしくは複数のアンテナに関して可能性が高いマップロケーションを示す
のうちの少なくとも１つを備える、請求項１０に記載のＭＳ。
【請求項１８】
前記マップは、第２の複数のマップレイヤを備え、ここにおいて、前記第２の複数のマップレイヤは、前記ＢＳＡに記憶されたロケーションに関する前記アンテナのマルチパスの範囲の表示を提供するために少なくとも１つのマルチパスレイヤを備え、ここにおいて、前記少なくとも１つのマルチパスレイヤは、
前記アンテナの長シャドウ領域を示すための長シャドウレイヤ、前記長シャドウレイヤは、除外ゾーン、マルチパスの大きさの表示、および前記長シャドウ領域内の前記アンテナの信号減衰レベルを備え、または、
前記アンテナの短シャドウ領域を示すための短シャドウレイヤ、前記短シャドウレイヤは、前記短シャドウ領域内のアンテナ信号のタイミング粒度情報を備え、または
前記アンテナの少なくとも１つのカバレージエリア内の一意の送信パターンを示すための送信するパターンレイヤ
のうちの少なくとも１つを備える、請求項１０に記載のＭＳ。
【請求項１９】
第１の複数のマップレイヤを有するマップを備えるロケーションアシスタンスデータを入手するための手段と、ここにおいて、前記第１の複数のマップレイヤ内の各マップレイヤは、基地局アルマナック（ＢＳＡ）に記憶されたロケーションとアンテナの空間的に変動する順方向リンク較正（ＦＬＣ）値に関連付けられ、前記第１の複数のマップレイヤ内の各マップレイヤは、対応するロケーション粒度に関連付けられ、
前記ロケーションアシスタンスデータに基づいて、前記アンテナの信号測定値を備える測定セットを入手するために測定を実行するための手段と、ここにおいて、前記ロケーションアシスタンスデータ内の少なくとも１つの空間的に変動するＦＬＣ値を備える較正は、前記測定セット内の少なくとも１つの測定値に適用され、
測定を実行するための前記手段に結合されたトランシーバ手段と、前記測定セットをＢＳＡサーバに送るための前記トランシーバ手段、
を備える、移動局（ＭＳ）。
【請求項２０】
前記測定セットを入手するために測定を実行するための前記手段は、
前記第１の複数のマップレイヤのうちの前記少なくとも１つのマップレイヤで指定される前記アンテナの前記信号測定値の期待される正確さと、前記ＭＳの先験的ロケーション推定とに基づいて信号獲得方法を選択するための手段
を備える、請求項１９に記載のＭＳ。
【請求項２１】
前記較正を前記測定セットに適用することによって前記ＭＳの改良されたロケーションと改良されたロケーション不確実性とを計算するための手段、ここにおいて、前記較正に使用される前記少なくとも１つの空間的に変動するＦＬＣ値は、先験的ポジション推定値のＦＬＣ値に対応する
をさらに備える、請求項２０に記載のＭＳ。
【請求項２２】
前記ＭＳの前記改良されたロケーションと前記改良されたロケーション不確実性とに基づいて、ロケーションアシスタンスデータとして前記第１の複数のマップレイヤのうちの少なくとも１つの追加のマップレイヤを要求するための手段
をさらに備える、請求項２１に記載のＭＳ。
【請求項２３】
前記マップは、第２の複数のマップレイヤを備え、ここにおいて、前記第２の複数のマップレイヤは、
受信信号強度マップレイヤ、前記受信信号強度レイヤは、受信信号強度をマップロケーションに相関させ、
信号対雑音比（ＳＮＲ）マップレイヤ、前記ＳＮＲマップレイヤは、ＳＮＲをマップロケーションに相関させ、または、
見通し線（ＬＯＳ）マップレイヤ、前記ＬＯＳマップレイヤは、ＬＯＳ条件が１つもしくは複数のアンテナに関して可能性が高いマップロケーションを示し、または、
非見通し線（ＮＬＯＳ）マップレイヤ、前記ＮＬＯＳマップレイヤは、ＮＬＯＳ条件もしくはボディブロックド条件が１つもしくは複数のアンテナに関して可能性が高いマップロケーションを示す
のうちの少なくとも１つを備える、請求項１９に記載のＭＳ。
【請求項２４】
前記マップは、第２の複数のマップレイヤを備え、ここにおいて、前記第２の複数のマップレイヤは、前記ＢＳＡに記憶されたロケーションに関する前記アンテナのマルチパスの範囲の表示を提供するために少なくとも１つのマルチパスレイヤを備え、ここにおいて、前記少なくとも１つのマルチパスレイヤは、
前記アンテナの長シャドウ領域を示すための長シャドウレイヤ、前記長シャドウレイヤは、除外ゾーン、マルチパスの大きさの表示、および前記長シャドウ領域内の前記アンテナの信号減衰レベルを備え、または、
前記アンテナの短シャドウ領域を示すための短シャドウレイヤ、前記短シャドウレイヤは、前記短シャドウ領域内のアンテナ信号のタイミング粒度情報を備え、または
前記アンテナの少なくとも１つのカバレージエリア内の一意の送信パターンを示すための送信するパターンレイヤ
のうちの少なくとも１つをさらに備える、請求項１９に記載のＭＳ。
【請求項２５】
プロセッサによって実行された時に、ステップが、
第１の複数のマップレイヤを有するマップを備えるロケーションアシスタンスデータを入手することと、ここにおいて、前記第１の複数のマップレイヤ内の各マップレイヤは、基地局アルマナック（ＢＳＡ）に記憶されたロケーションとアンテナの空間的に変動する順方向リンク較正（ＦＬＣ）値に関連付け、前記第１の複数のマップレイヤ内の各マップレイヤは、対応するロケーション粒度に関連付けられ、
前記ロケーションアシスタンスデータに基づいて、前記アンテナの信号測定値を備える測定セットを入手するために測定を実行することと、ここにおいて、前記ロケーションアシスタンスデータ内の少なくとも１つの空間的に変動するＦＬＣ値を備える較正は、前記測定セット内の少なくとも１つの測定値に適用され、
前記測定セットをＢＳＡサーバに送ることと
を備える、移動局（ＭＳ）上の方法内の前記ステップを実行する命令を備える非一時的なコンピュータ可読媒体。
【請求項２６】
前記測定セットを入手するために測定を実行することは、前記第１の複数のマップレイヤのうちの少なくとも１つのマップレイヤで指定される前記アンテナの前記信号測定値の期待される正確さと、前記ＭＳの先験的ロケーション推定とに基づいて信号獲得方法を選択すること
を備える、請求項２５に記載の非一時的なコンピュータ可読媒体。
【請求項２７】
前記較正を前記測定セットに適用することによって前記ＭＳの改良されたロケーションと改良されたロケーション不確実性とを計算すること、ここにおいて、前記較正に使用される前記少なくとも１つの空間的に変動するＦＬＣ値は、先験的ポジション推定値のＦＬＣ値に対応する
をさらに備える、請求項２６に記載の非一時的なコンピュータ可読媒体。
【請求項２８】
前記ＭＳの前記改良されたロケーションと前記改良されたロケーション不確実性とに基づいて、前記ロケーションアシスタンスデータとして前記第１の複数のマップレイヤのうちの少なくとも１つの追加のマップレイヤを要求することをさらに備える、請求項２７に記載の非一時的なコンピュータ可読媒体。
【請求項２９】
前記マップは、第２の複数のマップレイヤを備え、ここにおいて、前記第２の複数のマップレイヤは、
受信信号強度マップレイヤ、前記受信信号強度レイヤは、受信信号強度をマップロケーションに相関させ、
信号対雑音比（ＳＮＲ）マップレイヤ、前記ＳＮＲマップレイヤは、ＳＮＲをマップロケーションに相関させ、または、
見通し線（ＬＯＳ）マップレイヤ、前記ＬＯＳマップレイヤは、ＬＯＳ条件が１つもしくは複数のアンテナに関して可能性が高いマップロケーションを示し、または、
非見通し線（ＮＬＯＳ）マップレイヤ、前記ＮＬＯＳマップレイヤは、ＮＬＯＳ条件もしくはボディブロックド条件が１つもしくは複数のアンテナに関して可能性が高いマップロケーションを示す
のうちの少なくとも１つを備える、請求項２５に記載の非一時的なコンピュータ可読媒体。
【請求項３０】
前記マップは、第２の複数のマップレイヤを備え、ここにおいて、前記第２の複数のマップレイヤは、前記ＢＳＡに記憶されたロケーションに関する前記アンテナのマルチパスの範囲の表示を提供するために少なくとも１つのマルチパスレイヤを備え、ここにおいて、前記少なくとも１つのマルチパスレイヤは、
前記アンテナの長シャドウ領域を示すための長シャドウレイヤ、前記長シャドウレイヤは、除外ゾーン、マルチパスの大きさの表示、および前記長シャドウ領域内の前記アンテナの信号減衰レベルを備え、または、
前記アンテナの短シャドウ領域を示すための短シャドウレイヤ、前記短シャドウレイヤは、前記短シャドウ領域内のアンテナ信号のタイミング粒度情報を備え、または
前記アンテナの少なくとも１つのカバレージエリア内の一意の送信パターンを示すための送信するパターンレイヤ
のうちの少なくとも１つをさらに備える、請求項２５に記載の非一時的なコンピュータ可読媒体。
【発明の詳細な説明】
【技術分野】
【０００１】
関連出願の相互参照
[0001]本願は、すべてが本願の譲受人に譲渡され、参照によってその全体が本明細書に組み込まれている、２０１３年２月７日に出願した米国特許仮出願第６１／７６２３０５号、名称「Ｃｌｏｕｄ  Ｂａｓｅｄ  Ｃａｌｉｂｒａｔｉｏｎ  ｏｆ  Ｔｅｒｒｅｓｔｒｉａｌ  Ｐｏｓｉｔｉｏｎｉｎｇ  Ｓｙｓｔｅｍｓ」と、２０１３年４月２日に出願した米国特許仮出願第６１／８０７６６２号、名称「Ｄｅｔｅｒｍｉｎａｔｉｏｎ  ｏｆ  Ｄｉｆｆｅｒｅｎｔｉａｌ  Ｆｏｒｗａｒｄ  Ｌｉｎｋ  Ｃａｌｉｂｒａｔｉｏｎ  ｉｎ  ＬＴＥ  Ｎｅｔｗｏｒｋｓ  ｆｏｒ  Ｐｏｓｉｔｉｏｎｉｎｇ」と、２０１３年４月３０日に出願した米国特許仮出願第６１／８１７８１３号、名称「Ｄｅｔｅｒｍｉｎａｔｉｏｎ  ｏｆ  Ｄｉｆｆｅｒｅｎｔｉａｌ  Ｆｏｒｗａｒｄ  Ｌｉｎｋ  Ｃａｌｉｂｒａｔｉｏｎ  ｉｎ  ＬＴＥ  Ｎｅｔｗｏｒｋｓ  ｆｏｒ  Ｐｏｓｉｔｉｏｎｉｎｇ」と、２０１３年６月２４日に出願した米国特許仮出願第６１／８３８８６６号、名称「Ｄｅｔｅｒｍｉｎａｔｉｏｎ  ｏｆ  Ｄｉｆｆｅｒｅｎｔｉａｌ  Ｆｏｒｗａｒｄ  Ｌｉｎｋ  Ｃａｌｉｂｒａｔｉｏｎ  ｉｎ  ＬＴＥ  Ｎｅｔｗｏｒｋｓ  ｆｏｒ  Ｐｏｓｉｔｉｏｎｉｎｇ」との利益を主張し、その優先権を主張する２０１４年２月５日に出願した米国特許出願第１４／１７３７１７号、名称「Ｔｅｒｒｅｓｔｒｉａｌ  Ｐｏｓｉｔｉｏｎｉｎｇ  Ｓｙｓｔｅｍ  Ｃａｌｉｂｒａｔｉｏｎ」の利益を主張し、その優先権を主張するものである。
【０００２】
[0002]本明細書で開示される主題は、一般には地上測位システムに関し、詳細には、地上測位システムを較正するための方法に関する。
【背景技術】
【０００３】
[0003]しばしば、セルラ電話機などの端末のロケーションを知ることが望ましい。たとえば、ロケーションサービス（ＬＣＳ）クライアントは、救急サービス通話の場合に、または航法援助もしくは方向探知などのサービスを端末のユーザに提供するために、端末のロケーションを知ることを望む場合がある。「ロケーション」および「ポジション」という用語は、同義であり、本明細書では交換可能に使用される。
【０００４】
[0004]移動局（ＭＳ）のロケーションを決定する１つの方法は、複数のアンテナからの信号到着の時刻の測定に基づく。たとえば、ＭＳは、複数の基地局アンテナからの受信信号の時間差を測定することができる。基地局アンテナのポジションが既知なので、観察された時間差は、端末のロケーションを計算するのに使用され得る。
【０００５】
[0005]ＭＳは、測定計算を実行するために基地局アルマナック（ＢＳＡ）を利用することができ、および／またはポジション計算のために測定値をロケーションサーバに送ることができる。アドバンスドフォワードリンクトライラテレーション（ＡＦＬＴ：Advanced Forward Link Trilateration）という用語は、符号分割多元接続（ＣＤＭＡ）システムでの地上測位について説明するのに使用され、オブザーブドタイムディファレンスオブアライバル（ＯＴＤＯＡ：Observed Time Difference of Arrival）という用語は、Ｗｉｄｅｂａｎｄ  ＣＤＭＡ（ＷＣＤＭＡ（登録商標））システムとＬｏｎｇ  Ｔｅｒｍ  Ｅｖｏｌｕｔｉｏｎ（ＬＴＥ）システムとの文脈で使用される。
【０００６】
[0006]通常、地上測位の正確さは、基地局クロックの同期と信号伝搬とに依存する。しかしながら、ハードウェアおよびインストール手順の相違は、数百ナノ秒程度のセル間同期の変動を引き起こす可能性がある。セルの間の１００ナノ秒の同期変動であっても、３０メートルの測距誤差になる。したがって、最適性能のためには、地上測位システムは、較正を必要とする。
【０００７】
[0007]しかしながら、現在の較正手順は、面倒であり、リソース集中型であり、しばしば、ネットワーク内のすべてのセル送信機の付近での重要なフィールドデータ収集を伴う。さらに、較正は、ネットワークの保守および／または再構成に起因して、時間に伴って変化する。したがって、既存のシステムでは、リソース集中型の較正作業が、最適測位性能のために繰り返して実行される。その結果、地上測位システムでの展開の関心は、地上測位システム較正のリソース集中型の性質のゆえに、徐々に弱まってきた。
【０００８】
[0008]したがって、地上測位システム較正を容易にし、これによって地上測位システムの展開と利用とを改善するためのシステムと方法との必要がある。
【発明の概要】
【０００９】
[0009]いくつかの実施形態では、方法は、第１の複数の移動局（ＭＳ）からアンテナの複数の測定セットを受信することを備えることができ、ここにおいて、各測定セットは、対応する測定ロケーション推定値と測定ロケーション不確実性推定値とに関連する。さらに、アンテナの記憶された基地局アルマナック（ＢＳＡ）データは、サブセット内の各測定セットに関連する対応する測定ロケーション推定値と測定ロケーション不確実性推定値とに少なくとも部分的に基づいて、アンテナの記憶されたＢＳＡデータとともに複数の測定セットのサブセットを集計することによって更新され得、複数のマップレイヤを備える少なくとも１つのマップが、入手され得、各マップレイヤは、ＢＳＡ内のロケーションを、更新されたＢＳＡデータから導出されたアンテナの空間的に変動する順方向リンク較正（ＦＬＣ）値に関連付け、ここにおいて、各空間的に変動するＦＬＣ値は、更新されたＢＳＡデータ内の対応するロケーションに関連付けられる。
【００１０】
[0010]もう１つの実施形態では、移動局（ＭＳ）上の方法は、複数のマップレイヤを有するマップを備えるロケーションアシスタンス（location assistance）データを入手することを備えることができ、ここにおいて、各マップレイヤは、基地局アルマナック（ＢＳＡ）内のロケーションをアンテナの空間的に変動する順方向リンク較正（ＦＬＣ）値に関連付ける。さらに、ロケーションアシスタンスデータに基づいて、アンテナの信号測定値を備える測定セットを入手するために測定が実行され得、ここにおいて、ロケーションアシスタンスデータ内の少なくとも１つの空間的に変動するＦＬＣ値を備える較正は、測定セット内の少なくとも１つの測定値に適用され得る。次いで、測定セットがＢＳＡサーバに送られ得る。
【００１１】
[0011]開示される実施形態は、アンテナの基地局アルマナック（ＢＳＡ）データを記憶するためのメモリを備えるサーバにも関する。サーバは、通信インターフェースと、通信インターフェースは、第１の複数の移動局（ＭＳ）からアンテナの複数の測定セットを受信し、ここにおいて、各測定セットは、対応する測定ロケーション推定値と測定ロケーション不確実性推定値とに関連付けられ、メモリと通信インターフェースとに結合されたプロセッサとをさらに備えることができる。いくつかの実施形態では、プロセッサは、受信された複数の測定セットのサブセット内の各測定セットに関連する対応する測定ロケーション推定値と測定ロケーション不確実性推定値とに少なくとも部分的に基づいて、アンテナの以前に記憶されたＢＳＡデータとともにサブセットを集計することによって、メモリ内のアンテナの基地局アルマナック（ＢＳＡ）データを更新し、複数のマップレイヤを備える少なくとも１つのマップを入手し、各マップレイヤは、ＢＳＡ内のロケーションを、更新されたＢＳＡデータから導出されたアンテナの空間的に変動する順方向リンク較正（ＦＬＣ）値に関連付け、ここにおいて、各空間的に変動するＦＬＣ値は、更新されたＢＳＡデータ内の対応するロケーションに関連付けられる
ように構成され得る。
【００１２】
[0012]いくつかの実施形態では、移動局（ＭＳ）は、プロセッサを備えることができ、ここにおいて、プロセッサは、複数のマップレイヤを有するマップを備えるロケーションアシスタンスデータを入手し、ここにおいて、各マップレイヤは、基地局アルマナック（ＢＳＡ）内のロケーションをアンテナの空間的に変動する順方向リンク較正（ＦＬＣ）値に関連付け、ロケーションアシスタンスデータに基づいて、アンテナの信号測定値を備える測定セットを入手するために測定を実行し、ここにおいて、ロケーションアシスタンスデータ内の少なくとも１つの空間的に変動するＦＬＣ値を備える較正は、測定セット内の少なくとも１つの測定値に適用されるように構成される。さらに、ＭＳは、プロセッサに結合されたトランシーバを備えることができ、トランシーバは、測定セットをＢＳＡサーバに送るためのものである。
【００１３】
[0013]もう１つの態様では、アンテナの基地局アルマナック（ＢＳＡ）を記憶するための記憶手段と、第１の複数の移動局（ＭＳ）からアンテナの複数の測定セットを受信するための手段を備える通信インターフェース手段と、ここにおいて、各測定セットは、対応する測定ロケーション推定値と測定ロケーション不確実性推定値とに関連付けられる、を備えるサーバが開示される。さらに、サーバは、アンテナの記憶されたＢＳＡデータを更新するための手段と、更新するための手段は、受信された複数の測定セットのサブセット内の各測定セットに関連する対応する測定ロケーション推定値と測定ロケーション不確実性推定値とに少なくとも部分的に基づいて、アンテナの記憶された基地局アルマナック（ＢＳＡ）データとともにサブセットを集計するための手段をさらに備え、更新されたＢＳＡデータから導出されたアンテナの空間的に変動する順方向リンク較正（ＦＬＣ）値を入手するための手段と、ここにおいて、各空間的に変動するＦＬＣ値は、ＢＳＡデータ内の対応するロケーションに関連付けられる、を備えることができる。
【００１４】
[0014]さらなる態様では、移動局（ＭＳ）は、複数のマップレイヤを有するマップを備えるロケーションアシスタンスデータを入手するための手段と、ここにおいて、各マップレイヤは、基地局アルマナック（ＢＳＡ）内のロケーションをアンテナの空間的に変動する順方向リンク較正（ＦＬＣ）値に関連付け、ロケーションアシスタンスデータに基づいて、アンテナの信号測定値を備える測定セットを入手するために測定を実行するための手段と、ここにおいて、ロケーションアシスタンスデータ内の少なくとも１つの空間的に変動するＦＬＣ値を備える較正は、測定セット内の少なくとも１つの測定値に適用され、測定を実行するための手段に結合されたトランシーバ手段と、トランシーバは、測定セットをＢＳＡサーバに送るためのものである、を備えることができる。
【００１５】
[0015]開示される実施形態は、プロセッサによって実行された時に、第１の複数の移動局（ＭＳ）からアンテナの複数の測定セットを受信することと、ここにおいて、各測定セットは、対応する測定ロケーション推定値と測定ロケーション不確実性推定値とに関連し、サブセット内の各測定セットに関連する対応する測定ロケーション推定値と測定ロケーション不確実性推定値とに少なくとも部分的に基づいて、アンテナの記憶されたＢＳＡデータとともに複数の測定セットのサブセットを集計することによって、アンテナの記憶された基地局アルマナック（ＢＳＡ）データを更新することと、複数のマップレイヤを備える少なくとも１つのマップを入手することと、各マップレイヤは、ＢＳＡ内のロケーションを、更新されたＢＳＡデータから導出されたアンテナの空間的に変動する順方向リンク較正（ＦＬＣ）値に関連付け、ここにおいて、各空間的に変動するＦＬＣ値は、更新されたＢＳＡデータ内の対応するロケーションに関連付けられる、を備えることができる方法内のステップを実行する命令を備えるコンピュータ可読媒体にも関する。
【００１６】
[0016]追加の実施形態は、移動局（ＭＳ）上のプロセッサによって実行された時に、複数のマップレイヤを有するマップを備えるロケーションアシスタンスデータを入手することと、ここにおいて、各マップレイヤは、基地局アルマナック（ＢＳＡ）内のロケーションをアンテナの空間的に変動する順方向リンク較正（ＦＬＣ）値に関連付け、ロケーションアシスタンスデータに基づいて、アンテナの信号測定値を備える測定セットを入手するために測定を実行することと、ここにおいて、ロケーションアシスタンスデータ内の少なくとも１つの空間的に変動するＦＬＣ値を備える較正は、測定セット内の少なくとも１つの測定値に適用され、測定セットをＢＳＡサーバに送ることとを備えることができる方法内のステップを実行することができる命令を備えるコンピュータ可読媒体に関する。
【００１７】
[0017]開示される方法は、ＬＰＰ、ＬＰＰｅ、または他のプロトコルを使用して、サーバ（ロケーションサーバを含む）、移動局などのうちの１つまたは複数によって実行され得る。開示される実施形態は、非一時的なコンピュータ可読媒体またはコンピュータ可読メモリを使用してプロセッサによって作成され、記憶され、アクセスされ、読み取られ、または変更されるソフトウェア命令とファームウェア命令とプログラム命令とにも関する。
【図面の簡単な説明】
【００１８】
【図１】[0018]ロケーションアシスタンスデータまたはロケーション情報の転送を含む、ロケーションサービスをＵＥに提供することができるシステムのアーキテクチャを示す図。
【図２】[0019]ＭＳのロケーションを決定することができるシステム内のいくつかのエンティティを示す単純化されたブロック図。
【図３】[0020]アンテナに対する相対的な様々なロケーションの推定されたＦＬＣ値を有する例示的なマップの視覚的描写。
【図４Ａ】[0021]都市環境の例示的な地形図。
【図４Ｂ】[0022]より微細なポジション粒度を有するさらにより下のレベルのグリッドを含むことができる、図４Ａのグリッドタイル４１０のマップ４３０を示す図。
【図４Ｃ】[0023]ロケーション推定値および／または初期測定値が、ＭＳが構造内で突き止められ得ることよりもを示す状況に関する、図４Ａのグリッドタイル４２０内の構造の屋内ロケーションのマップを示す図。
【図５】[0024]信号が間接経路を介して長シャドウ領域内で受信される場合の、大きい障害物のシャドウの中のＭＳを示す図。
【図６】[0025]信号が短シャドウ領域内で受信される、小さい障害物のシャドウの中のＭＳを示す図。
【図７】[0026]サーバからＭＳへのアシスタンスデータの転送とＭＳからサーバ１５０へのロケーション関連情報の転送とをサポートする例示的なメッセージフローを示す図。
【図８】[0027]開示される実施形態と一貫する形でＭＳからのクラウドソーシングされた測定値を使用してＢＳＡを集計し、および／または増補するための例示的な方法を示す流れ図。
【図９】[0028]開示される実施形態と一貫する形で粒子フィルタを使用してＭＳのポジションとポジション不確実性とを推定するための方法を示す流れ図。
【図１０】[0029]開示される実施形態と一貫する形で反復フィルタを使用してＭＳのポジションとポジション不確実性とを推定するためのもう１つの方法を示す流れ図。
【図１１】[0030]ポジション決定をサポートすることを可能にされたＭＳ１２０のある種の例示的な特徴を示す概略ブロック図。
【図１２】[0031]ロケーション決定をサポートすることを可能にされた例示的なサーバなどの装置を示す概略ブロック図。
【図１３】[0032]開示される実施形態と一貫する形でＭＳからのクラウドソーシングされた測定値を使用してＢＳＡを増補するための例示的な方法を示す流れ図。
【図１４】[0033]開示される実施形態と一貫する形でＭＳからクラウドソーシングされた測定値を入手するための例示的な方法を示す流れ図。
【発明を実施するための形態】
【００１９】
[0034]「移動局（ＭＳ）」、「ユーザ機器」（ＵＥ）、または「ターゲット」という用語は、本明細書では交換可能に使用され、セルラもしくは他のワイヤレス通信デバイス、パーソナル通信システム（ＰＣＳ）デバイス、パーソナルナビゲーションデバイス（ＰＮＤ）、パーソナル情報マネージャ（ＰＩＭ）、携帯情報端末（ＰＤＡ）、ラップトップ、またはワイヤレス通信信号および／もしくはナビゲーション信号を受信できる他の適切なモバイルデバイスなどのデバイスを指すことができる。これらの用語は、衛星信号受信、アシスタンスデータ受信、および／またはポジション関連処理がデバイスまたはＰＮＤのどちらで発生するのかにかかわりなく、短距離ワイヤレス、赤外線、有線接続、または他の接続によるなど、パーソナルナビゲーションデバイス（ＰＮＤ）と通信するデバイスを含むことも意図されている。ＭＳは、携帯電話機、ノートパッドコンピュータ、またはラップトップ機を表すことができ、あるいは、ＭＳは、市街地図および／または遅延および／または本明細書の信号強度マップを作成するために前記測定セットを収集する車両とされ得る。
【００２０】
[0035]さらに、ＭＳ、ＵＥ、「移動局」、または「ターゲット」という用語は、衛星信号受信、アシスタンスデータ受信、および／またはポジション関連処理がデバイス、サーバ、またはネットワークに関連する別のデバイスのどれで発生するのかにかかわりなく、インターネット、Ｗｉ−Ｆｉ（登録商標）、セルラワイヤレスネットワーク、ＤＳＬネットワーク、パケットケーブルネットワーク、または他のネットワークを介するなど、サーバと通信することができるワイヤレスと有線との通信デバイス、コンピュータ、ラップトップなどを含むすべてのデバイスを含むことが意図されている。上記の任意の動作可能な組合せも、「移動局」と考えられる。
【００２１】
[0036]図１は、ロケーションアシスタンスデータまたはロケーション情報の転送を含む、ロケーションサービスをＵＥに提供することができるシステム１００のアーキテクチャを示す。図１に図示されているように、ＭＳ１２０は、ネットワーク１３０とネットワーク１３０に関連付けられ得る、集合的にアンテナ１４０と称する基地局アンテナ１４０−１〜１４０−４を介してサーバ１５０と通信することができる。サーバ１５０は、いくつかの例で、ロケーションサーバ、ポジション決定エンティティ（ＰＤＥ）、または別のネットワークエンティティのうちの１つまたは複数の機能性を提供することができる。ロケーション情報の転送は、ＭＳ１２０とサーバ１５０との両方に適当なレートで行われ得る。
【００２２】
[0037]いくつかの実施形態では、システム１００は、ＭＳ１２０とサーバ１５０との間でロングタームエボリューション（ＬＴＥ）測位プロトコル（ＬＰＰ）（Ｌｏｎｇ  Ｔｅｒｍ  Ｅｖｏｌｕｔｉｏｎ（ＬＴＥ）Ｐｏｓｉｔｉｏｎｉｎｇ  Ｐｒｏｔｏｃｏｌ（ＬＰＰ））メッセージまたはＬＰＰ拡張（ＬＰＰ  ｅｘｔｅｎｓｉｏｎｓ（ＬＰＰｅ））メッセージなどのメッセージを使用することができる。ＬＰＰプロトコルは、周知であり、第３世代パートナシッププロジェクト（３ｒｄ  Ｇｅｎｅｒａｔｉｏｎ  Ｐａｒｔｎｅｒｓｈｉｐ  Ｐｒｏｊｅｃｔ（３ＧＰＰ））と称する組織からの様々な公に入手可能な技術仕様書で説明されている。ＬＰＰｅは、Ｏｐｅｎ  Ｍｏｂｉｌｅ  Ａｌｌｉａｎｃｅ（ＯＭＡ）によって定義され、各組み合わされたＬＰＰ／ＬＰＰｅメッセージが、埋め込まれたＬＰＰｅメッセージを備えるＬＰＰメッセージになるように、ＬＰＰと組み合わせて使用され得る。
【００２３】
[0038]いくつかの実施形態では、ＭＳ１２０は、ポジション決定に使用され得る信号を基地局アンテナ１４０から受信し、測定することができる。アンテナ１４０は、ワイヤレス広域ネットワーク（ＷＷＡＮ）、ワイヤレスローカルエリアネットワーク（ＷＬＡＮ）、ワイヤレスパーソナルエリアネットワーク（ＷＰＡＮ）、その他とすることができるワイヤレス通信ネットワークの一部を形成することができる。「ネットワーク」および「システム」という用語は、本明細書ではしばしば交換可能に使用される。ＷＷＡＮは、符号分割多元接続（ＣＤＭＡ）ネットワーク、時間分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、Ｌｏｎｇ  Ｔｅｒｍ  Ｅｖｏｌｕｔｉｏｎ（ＬＴＥ）、ＷｉＭａｘ（登録商標）などであってよい。
【００２４】
[0039]ＣＤＭＡネットワークは、ｃｄｍａ２０００、広帯域ＣＤＭＡ（Ｗ−ＣＤＭＡ（登録商標））などの１つまたは複数の無線アクセス技術（ＲＡＴ）を実装し得る。Ｃｄｍａ２０００は、ＩＳ−９５標準規格とＩＳ−２０００標準規格とＩＳ−８５６標準規格とを含む。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、Ｄｉｇｉｔａｌ  Ａｄｖａｎｃｅｄ  Ｍｏｂｉｌｅ  Ｐｈｏｎｅ  Ｓｙｓｔｅｍ（Ｄ−ＡＭＰＳ）、または他のＲＡＴを実施することができる。ＧＳＭ、Ｗ−ＣＤＭＡ、およびＬＴＥは、「第３世代パートナシッププロジェクト」（３ＧＰＰ）と称する組織からの文書で説明されている。Ｃｄｍａ２０００は、「第３世代パートナシッププロジェクト２」（３ＧＰＰ２）と命名されたコンソーシアムからの文書で説明されている。３ＧＰＰ文書および３ＧＰＰ２文書は、公に入手可能である。ＷＬＡＮは、ＩＥＥＥ  ８０２．１１ｘネットワークとされ得、ＷＰＡＮは、Ｂｌｕｅｔｏｏｔｈ（登録商標）ネットワーク、ＩＥＥＥ  ８０２．１５ｘ、またはある他のタイプのネットワークとされ得る。諸技法は、ＷＷＡＮ、ＷＬＡＮ、および／またはＷＰＡＮの任意の組合せに関連しても実施され得る。たとえば、アンテナ１４０およびネットワーク１３０は、たとえば、ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）（ＬＴＥ）ネットワーク、Ｗ−ＣＤＭＡ  ＵＴＲＡＮネットワーク、ＧＳＭ／ＥＤＧＥ  Ｒａｄｉｏ  Ａｃｃｅｓｓ  Ｎｅｔｗｏｒｋ（ＧＥＲＡＮ）、１ｘＲＴＴネットワーク、Ｅｖｏｌｕｔｉｏｎ−Ｄａｔａ  Ｏｐｔｉｍｉｚｅｄ（ＥｖＤＯ）ネットワーク、ＷｉＭａｘネットワーク、またはＷＬＡＮの一部を形成することができる。
【００２５】
[0040]ＭＳ１２０は、衛星測位システム（ＳＰＳ）の一部とされ得る、集合的に宇宙船（ＳＶ）１８０と称する１つまたは複数の地球を周回するＳＶ１８０−１〜１８０−４から信号を受信することもできる。ＳＶ１８０は、たとえば、米国の全地球測位システム（ＧＰＳ）、欧州のＧａｌｉｌｅｏシステム、ロシアのＧｌｏｎａｓｓシステム、または中国のＣｏｍｐａｓｓシステムなどのグローバルナビゲーションサテライトシステム（ＧＮＳＳ）のコンステレーションに含まれるものとされ得る。ある種の態様によれば、本明細書で提示される技法は、ＳＰＳのためのグローバルシステム（たとえば、ＧＮＳＳ）に制限されない。たとえば、本明細書で提示される技法は、たとえば日本上空の準天頂衛星システム（ＱＺＳＳ）、インド上空のインド地域衛星航法システム（ＩＲＮＳＳ）、および／または１つもしくは複数の全地球および／もしくは地域の航法衛星システムに関連付けられるかこれとともに使用されるために他の形で使用可能にされ得る様々な補強システム（たとえば、静止衛星型衛星航法補強システム（ＳＢＡＳ））などの様々な地域システムでの使用に適用されるか他の形でそのために使用可能にされ得る。限定ではなく例として、ＳＢＡＳは、たとえばＷｉｄｅ  Ａｒｅａ  Ａｕｇｍｅｎｔａｔｉｏｎ  Ｓｙｓｔｅｍ（ＷＡＡＳ）、Ｅｕｒｏｐｅａｎ  Ｇｅｏｓｔａｔｉｏｎａｒｙ  Ｎａｖｉｇａｔｉｏｎ  Ｏｖｅｒｌａｙ  Ｓｅｒｖｉｃｅ（ＥＧＮＯＳ）、Ｍｕｌｔｉ−ｆｕｎｃｔｉｏｎａｌ  Ｓａｔｅｌｌｉｔｅ  Ａｕｇｍｅｎｔａｔｉｏｎ  Ｓｙｓｔｅｍ（ＭＳＡＳ）、ＧＰＳ  Ａｉｄｅｄ  Ｇｅｏ  Ａｕｇｍｅｎｔｅｄ  ＮａｖｉｇａｔｉｏｎもしくはＧＰＳ  ａｎｄ  Ｇｅｏ  Ａｕｇｍｅｎｔｅｄ  Ｎａｖｉｇａｔｉｏｎ  ｓｙｓｔｅｍ（ＧＡＧＡＮ）、および／または類似物など、完全性情報、差分補正（differential correction）などを提供する補強システムを含むことができる。したがって、本明細書で使用される時に、ＳＰＳは、１つまたは複数の全地球のおよび／または地域の航法衛星システムおよび／または補強システムの任意の組合せを含むことができ、ＳＰＳ信号は、ＳＰＳ信号、ＳＰＳ様信号、および／またはそのような１つまたは複数のＳＰＳに関連する他の信号を含むことができる。
【００２６】
[0041]単純さのために、１つのＭＳ１２０および１つのサーバ１５０だけが、図１Ａに示されている。一般に、システム１００は、追加のネットワーク１３０と、ＬＣＳクライアント１６０と、移動局１２０と、サーバ１５０と、（基地局）アンテナ１４０と、宇宙船（ＳＶ）１８０とを有する、１４５−ｋ（０≦ｋ≦Ｎcells、ただし、Ｎcellsはセルの個数）によって示される複数のセルを備えることができる。システム１００は、本明細書で開示される実施形態と一貫する形で、マクロセルとフェムトセルとを含むセルの混合をさらに備えることができる。
【００２７】
[0042]ＭＳ１２０は、ＯＭＡによって定義されたセキュアユーザプレーンロケーション（Ｓｅｃｕｒｅ  Ｕｓｅｒ  Ｐｌａｎｅ  Ｌｏｃａｔｉｏｎ（ＳＵＰＬ））ロケーション解決策とＬＴＥサービングネットワークとともに使用するために３ＧＰＰによって定義された制御プレーンロケーション解決策とを含むことができるがこれに限定されない、測位サービスとロケーションサービスとをサポートする１つまたは複数のネットワーク１３０を介してサーバ１５０とワイヤレスに通信できるものとされ得る。たとえば、ロケーションサービス（ＬＣＳ）は、サーバ１５０（ロケーションサーバに関連する機能性を提供することができる）にアクセスし、ＭＳ１２０のロケーションを求める要求を発行するＬＣＳクライアント１６０の代わりに実行され得る。次いで、サーバ１５０は、ＭＳ１２０のロケーション推定値をＬＣＳクライアント１６０に応答することができる。ＬＣＳクライアント１６０は、たとえばサーバ１５０およびＭＳ１２０によって使用されるロケーション解決策がＳＵＰＬである時に、ＳＵＰＬエージェントと称する場合もある。いくつかの実施形態では、ＭＳ１２０は、ＭＳ１２０内のポジション決定モジュール（ＰＤＭ）または測位エンジンなどのある測位対応機能にロケーション要求を発行し、その後にＭＳ１２０のロケーション推定値を受け取ることができる、ＬＣＳクライアントまたはＳＵＰＬエージェント（図１には図示せず）をも含むことができる。ＭＳ１２０内のＬＣＳクライアントまたはＳＵＰＬエージェントは、ＭＳ１２０のユーザのためにロケーションサービスを実行し、たとえば、ナビゲーション指示を提供しまたはＭＳ１２０の付近の関心を持たれている点を識別することができる。
【００２８】
[0043]サーバ１５０は、ＳＵＰＬロケーションプラットフォーム（ＳＵＰＬ  Ｌｏｃａｔｉｏｎ  Ｐｌａｔｆｏｒｍ（ＳＬＰ））、発展型サービングモバイルロケーションセンタ（ｅｖｏｌｖｅｄ  Ｓｅｒｖｉｎｇ  Ｍｏｂｉｌｅ  Ｌｏｃａｔｉｏｎ  Ｃｅｎｔｅｒ（ｅＳＭＬＣ））、サービングモバイルロケーションセンタ（Ｓｅｒｖｉｎｇ  Ｍｏｂｉｌｅ  Ｌｏｃａｔｉｏｎ  Ｃｅｎｔｅｒ（ＳＭＬＣ））、ゲートウェイモバイルロケーションセンタ（Ｇａｔｅｗａｙ  Ｍｏｂｉｌｅ  Ｌｏｃａｔｉｏｎ  Ｃｅｎｔｅｒ（ＧＭＬＣ））、ポジション決定エンティティ（ＰＤＥ）、スタンドアロンＳＭＬＣ（Ｓｔａｎｄａｌｏｎｅ  ＳＭＬＣ（ＳＡＳ））、および／または類似物の形をとることができる。
【００２９】
[0044]図１に示されているように、ＭＳ１２０は、ネットワーク１３０とネットワーク１３０に関連付けられ得るアンテナ１４０とを介してサーバ１５０と通信することができる。ＭＳ１２０は、ポジション決定のために使用され得る信号をアンテナ１４０から受け取り、測定することができる。たとえば、ＭＳ１２０は、ポジション決定を容易にするために、それぞれセル１４５−１と１４５−２と１４５−３と１４５−４とに関連付けられ得る、アンテナ１４０−１、１４０−２、１４０−３、および／または１４０−４のうちの１つまたは複数から信号を受け取り、測定することができる。もう１つの例として、ＭＳ１２０は、ＭＳ１２０上の全地球測位システム（ＧＰＳ）受信器を使用し、ＡＦＬＴ測定値とＧＰＳ測定値（たとえば、ＳＶ１８０からの）との両方に基づいてそのポジションを計算して、ハイブリッドポジションロケーション方式を使用することができる。いくつかの実施形態では、ＧＮＳＳからの測定値、地上測定値（たとえば、ＡＦＬＴ、セルセクタ測定値、ＷＬＡＮ測定値、ＯＴＤＯＡ）、および／またはセンサ測定値（たとえば、慣性センサ、カメラまたはイメージセンサ、音響センサなどを使用する測定値）の組合せが、ポジション推定値を入手するのに使用され得る。「測定セット」という用語は、特定の測定ロケーションと時点とにＭＳによって実行される信号測定を指すのに使用される。信号測定は、ポジション決定に関係付けられ得る。行われる信号測定は、システム１００、ＭＳの能力、および／または特定のロケーション／時刻にＭＳ１２０によって測定に使用可能である信号特性にも依存する可能性がある。通常、測定セットは、基地局アルマナック（ＢＳＡ）に記憶され、および／またはロケーション決定に使用される１つまたは複数の信号特性に関係する測定値を備えることができる。
【００３０】
[0045]いくつかの実施形態では、入手されるポジション推定値は、粗ポジション推定値および／または初期ポジション推定値である可能性があり、開示される実施形態と一貫する形で改良され得る。一般に、移動局によって行われる測定は、ＭＳ１２０および／またはアンテナ１４０の計算されたポジションの可用性と精度とを高めるために、ネットワーク関連測定値と組み合わされ得る。
【００３１】
[0046]もう１つの例として、ＷＣＤＭＡおよびＬＴＥとともに使用されるＯＴＤＯＡベースの測位では、ＭＳ１２０は、複数の基地局アンテナ１４０からの受信信号内の時間差を測定することができる。アンテナ１４０のポジションは既知なので、観察された時間差は、ＭＳ１２０のロケーションを計算するのに使用され得る。たとえば、基準信号時間差（Ｒｅｆｅｒｅｎｃｅ  Ｓｉｇｎａｌ  Ｔｉｍｅ  Ｄｉｆｆｅｒｅｎｃｅ（ＲＳＴＤ））と称する、測位基準信号（Ｐｏｓｉｔｉｏｎｉｎｇ  Ｒｅｆｅｒｅｎｃｅ  Ｓｉｇｎａｌ（ＰＲＳ））の到着の測定された時間差が、ＭＳ１２０のポジションを計算するために、各セルの絶対送信タイミングまたは相対送信タイミングならびに基準セルと隣接するセルとのアンテナ１４０の既知のポジションと一緒に使用され得る。
【００３２】
[0047]ＣＤＭＡとともに使用されるＡＦＬＴベースの測位では、ＭＳ１２０は、絶対時間スケール（たとえば、ＧＰＳ時刻）に同期化され、４つの基地局アンテナ１４０−１〜１４０−４から送信されるパイロット信号の位相を測定することができる。アンテナ１４０−ｉ、１≦ｉ≦４からのパイロット信号の測定された位相は、ＭＳ１２０とそれぞれのアンテナとの間の距離を計算するのに使用され得る。距離測定値のセットは、アンテナ１４０の時間オフセットが既知であるならば、ＭＳ１２０のロケーションを計算するのに使用され得る。
【００３３】
[0048]ＭＳ１２０は、セル信号の到着の時刻を絶対時間スケールと比較することによって、順方向リンクセル信号の時間同期の測定値を入手することができる。ＭＳ１２０は、既知のＧＰＳポジションとこの測定の時のＧＰＳ時刻とを記録することができ、アンテナ１４０−１などのセル送信機の既知のポジションを使用することによって、セル信号の到着時刻バイアスが、決定され得る。セル信号の時刻バイアスの決定は、順方向リンク較正（ＦＬＣ）と称する。いくつかの例で、ＭＳ１２０は、順方向リンク較正を実行することができるサーバ１５０に生の測定情報を送ることができる。たとえば、距離補正は、順方向リンク較正値（ＦＬＣ）として定量化される。ＦＬＣは、セルの間の１００ｎｓ程度の同期変動であっても３０メートルの測距誤差になるので、測位精度を改善する。したがって、ＦＬＣは、地上測位システムでの最適性能を容易にする。
【００３４】
[0049]既存の地上測位システムでは、ＦＬＣの決定は、広範囲のフィールド動作を伴い、不正確さが、しばしば生じる可能性がある。不正確さは、たとえば、アンテナ１４０のロケーションが、ＡＦＬＴまたはハイブリッド手法を使用してよいロケーションフィックスを提供するのに適当な精度を伴って決定されたのではない可能性があるので、生じる可能性がある。追加の不正確さは、ＢＳＡ内にリストされた基地局ロケーションが、いくつかの環境（たとえば、都市エリア）でトランシーバからかなりの距離に配置される可能性があるアンテナのロケーションではなく、トランシーバのロケーションに対応する可能性があるので、生じる可能性がある。さらに、ワイヤレスサービスプロバイダが彼らのカバレージを拡張し、更新する時にしばしば変更されるアンテナのロケーションが、必ずしも時宜を得た形でＢＳＡ内で反映されない可能性がある。さらに、既存のシステムでは、統計的に有意であるために、繰り返されるＦＬＣ測定と測定値との分析が必要であり、ＢＳに対するすべてのハードウェア変更および／または構成変更が、新しい測定サイクルをもたらす可能性がある。したがって、既存のシステムでは、ＦＬＣは、リソース集中型の連続的な保守プロセスである。
【００３５】
[0050]したがって、本明細書で開示される実施形態は、地上測位システム較正を容易にし、これによって、ポジション推定を改善し、地上測位システムの展開と利用とを最適化する。
【００３６】
[0051]図２は、ＭＳ１２０のロケーションを決定することができるシステム２００内のいくつかのエンティティを示す単純化されたブロック図を示す。いくつかの実施形態では、システム２００は、ＭＳによって支援される測位システムの一部を形成することができる。図２Ａを参照すると、ＭＳ１２０は、初期測定値２０２および／または初期ロケーション推定値２０４を入手するために、基準ソース１７０からの信号を測定することができる。基準ソース１７０は、ＳＶ１８０および／またはネットワーク１３０に関連するアンテナ１４０からの信号を表すことができる。ＭＳ１２０は、アンテナ１４０から、たとえばＳＶ１８０の擬似距離測定値および／またはＯＴＤＯＡ／ＲＳＴＤ関連測定値などの初期測定値２０２を入手することもできる。
【００３７】
[0052]いくつかの場合に、ＭＳ１２０は、初期ロケーション推定値２０４を導出するために初期測定値２０２を使用することによって、初期ロケーション推定値２０４を入手することもできる。時々「プレフィックス」とも称する初期ロケーション推定値２０４は、ＭＳ１２０のポジションの粗推定値とされ得る。いくつかの場合に、ＭＳ１２０によるレンジ測定値は、初期ロケーション推定値２０４を入手するのに使用され得る。いくつかの場合に、サービングセル、最強のセル、最古のセル、または別のセルに関連するロケーションは、初期ロケーション推定値２０４として使用され得る。たとえば、サービングセル、最強のセル、最古のセル、またはある他のセルの重心が、初期ロケーション推定値２０４として使用され得る。さらなる例として、あるセル内のランダムなまたはデフォルトの開始ロケーションが、初期ロケーション推定値２０４として使用され得る。セル関連情報は、セルセクタアイデンティティとネットワークＩＤとシステムＩＤと基地局によって送信される他の情報とから入手され得る。ＭＳ１２０は、初期ロケーション推定値２０４および／または初期測定値２０２（たとえば、１つまたは複数のＧＮＳＳからの衛星測定値、または１つもしくは複数のネットワークからのＯＴＤＯＡおよび／もしくはＲＳＴＤなどのネットワーク測定値など）をサーバ１５０に供給することができる。いくつかの情況で、ＭＳ１２０は、初期ロケーション推定値２０４を決定するのではないものとすることができ、その代わりに、ＭＳ１２０によって利用される初期測定値２０２が、ＭＳ１２０の初期ロケーション推定値２０４を決定するのに初期測定値２０２を使用できるサーバ１５０に送られ得る。
【００３８】
[0053]次いで、サーバ１５０は、ＭＳ１２０がＳＶ１８０および／もしくはアンテナ１４０から信号を獲得し、測定し、ならびに／または測定値２０２から入手された初期ロケーション推定値２０４を改良するのを支援するのに使用され得るロケーションアシスタンスデータ２０６などの初期ロケーション推定値２０４に基づくロケーション関連情報をＭＳ１２０に供給するを供給することができる。たとえば、いくつかの場合にＳｅｃｕｒｅ  Ｕｓｅｒ  Ｐｌａｎｅ（ＳＵＰＬ）Ｅｎａｂｌｅｄ  Ｔｅｒｍｉｎａｌ（ＳＥＴ）の形をとることができるＭＳ１２０は、サーバ１５０と通信し、ロケーションアシスタンスデータ２０６を使用する、追加測定値２０８を入手することができる。いくつかの実施形態では、追加測定値２０８は、様々なＦＬＣ関連測定値を備えることができる。追加測定値２０８は、パイロット位相測定値、到着時刻、ＲＳＴＤ／ＯＴＤＯＡ測定値、基地局アンテナの時間オフセットに関係する測定値、全地球測位システム（たとえば、擬似距離）測定値などを含むことができる。いくつかの実施形態で、ＭＳ１２０は、追加測定値２０８をサーバ１５０または別のＰＤＥに送ることができる。
【００３９】
[0054]いくつかの実施形態で、サーバ１５０、ＭＳ１２０、または別のＰＤＥは、ＭＳ１２０の改良されたロケーションを入手するのに追加測定値２０８を使用することができる。いくつかの実施形態で、ＭＳ１２０は、改良されたロケーション推定値を直接に入手するのに追加測定値２０８を使用することができる。さらに、いくつかの実施形態で、ＭＳ１２０の改良されたロケーション推定値は、ＬＣＳクライアント１６０（図１Ｂには図示せず）に通信され得る。一般に、ポジションロケーションは、ＭＳ１２０がポジション決定での使用のためにネットワーク内のＰＤＥに基地局を介して生のまたは前処理された測定データを送り返す場合にＭＳによって支援され得、あるいは、ポジション計算がＭＳ１２０によって実行される場合にＭＳに基づくものとされ得る。
【００４０】
[0055]ポジション決定サービスを提供するワイヤレス通信システムは、通常、較正情報および他の関連する基地局情報を、基地局アルマナック（ＢＳＡ）と称する較正データベースに記憶する。ある基地局のＢＳＡレコードは、基地局識別情報、基地局アンテナのポジション（たとえば、高度と緯度と経度と）、アンテナのポジションでのＦＬＣ値、アンテナ方位、レンジ、リピータ情報などを指定することができる。「ＦＬＣ値」という用語は、本明細書で使用される時に、ＦＬＣ値とＦＬＣ残差との両方を指すことができる。ＦＬＣ残差は、距離単位（たとえば、メートル）で指定され得、ＦＬＣ値は、時間単位（たとえば、秒）で指定され得る。いくつかの実施形態では、ＢＳＡは、基地局セクタカバレージエリアの中央、基地局信号の最大レンジ、１つまたは複数のカバレージエリア／サブエリアにわたる平均地形高、１つまたは複数のカバレージエリア／サブエリアにわたる地形高標準偏差、ラウンドトリップ遅延（ＲＴＤ）較正情報、ＣＤＭＡシステムでの擬似ランダム雑音（ＰＮ）増分、基地局アンテナポジションの不確実性、順方向リンク遅延較正の不確実性、およびラウンドトリップ遅延較正の不確実性などの情報をも含むことができる。
【００４１】
[0056]いくつかの実施形態では、地上測位システム較正を容易にするためのシステムは、複数の移動局／ＰＤＥによるＦＬＣ関連測定値と改良されたポジション推定値とを含む追加測定値２０８を集計することができる。いくつかの実施形態では、複数の移動局の各々によるＦＬＣ測定値は、サーバ上で集計され、記憶され得、統計的有意性が、集計に基づいて導出され得る。たとえば、標準偏差、分散、平均値、中央値、および他の統計的尺度が、集計から導出され得る。いくつかの実施形態では、ＭＳに基づく場合とＭＳによって支援される場合との両方で、追加測定値２０８および／または改良されたポジション推定値は、ネットワークエンティティによって入手され、ＢＳＡを更新するのに使用され得る。いくつかの実施形態では、ＢＳＡに記憶されたデータ／測定値のうちの１つまたは複数は、先在する記憶されたＢＳＡデータを有する複数のＭＳによって追加測定値２０８の集計から入手され、および／または導出され得る。
【００４２】
[0057]たとえば、ＭＳ１２０の改良されたポジション推定値は、データベース内に記憶された情報の粒度に基づいて、同一のロケーションおよび／またはそのロケーションの付近の領域について、他の移動局によって関連付けられ、および／または他の移動局による測定値とともに集計され得る。いくつかの実施形態では、改良されたポジション推定値は、ポジションフィックスに関連する品質しきい値に基づいて、集計された測定値に関連付けられ得る。たとえば、各ロケーションフィックスに関連する誤差の推定値を表す「水平推定ポジション誤差」（ＨＥＰＥ）品質測定値が、どの測定値がＢＳＡデータベースに追加され、および／または集計されるのかを決定するのに使用され得る。たとえば、５０ｍ未満または所望の精度もしくはポジション粒度に依存するある他の指定されたしきい値未満のＨＥＰＥ値を有するポジションフィックスに関連する測定値が、ＢＳＡデータベースに追加され、および／または集計され得る。
【００４３】
[0058]図３は、アンテナ１４０−ｉに対する相対的な様々なロケーションの推定されたＦＬＣ値を有する例示的なマップ３００の視覚的描写を示す。図３に示されているように、マップ３００は、マップキー３４０によって示されるように、より大きいＦＬＣ値を有するロケーションとより小さいＦＬＣ値を有するロケーションとを反映するためにカラーコーディングされている。
【００４４】
[0059]あるポジションでのＦＬＣ値は、マルチパスによって影響され得るので、ＦＬＣ値は、マルチパスの影響を軽減するために、そのポジションで複数の移動局から受信された追加測定値２０８に基づいて、様々なＭＳポジションに合わせて調整され得る。マルチパスは、物体による無線信号の反射によって引き起こされる影響を指す。反射された無線信号は、直接信号または見通し線信号に対して相対的に遅延され、直接信号より遅くにＭＳ受信器に達する。遅延は、ポジション決定の誤差をもたらす可能性がある。したがって、たとえばマップ３００内の情報に基づいて、アシスタンス情報が、領域３３５に対応するＦＬＣ値の使用をもたらすためにＭＳ１２０−１に供給され得、ＭＳ１２０−２は、ポジション３２５に対応するＦＬＣ値を使用することができる。
【００４５】
[0060]いくつかの実施形態では、マップ３００の表現は、ＦＬＣ／ポジション粒度の異なるレベルまたはレイヤを有する階層の一部を形成することができる。たとえば、マップ３００の表現は、第１のレベルにあり、より下のレベルでより微細なＦＬＣ／ポジション粒度および／またはより上のレベルでより粗なＦＬＣ／ポジション粒度を提供することができる追加マップにリンクされ得る。たとえば、ＭＳ１２０−２が、マップ３００上の領域３２５内のポジション３２０に配置された場合に、より下のレベルのマップは、領域３２５を拡張し、領域３２５に追加のＦＬＣ詳細を提供することができ、これによって、領域３２５内のＭＳ１２０ポジションへのＦＬＣ値のさらなる調整を可能にする。さらに、マップ３００は、より粗なポジション粒度を有するより上のレベルのマップにもリンクされ得る。たとえば、より上のレベルのマップは、ＭＳ１２０−２がポジション３３０に配置された時に、領域３３７のレベルでのポジション／ＦＬＣ粒度を提供することができ、マップ３００は、マップ３００上の領域３２５のレベルでＦＬＣ／ポジション粒度を提供することができる。
【００４６】
[0061]「レイヤ」または「マップレイヤ」という用語は、本明細書で使用される時に、ＭＳのポジションとポジション不確実性とに合わせて調整された、ロケーションアシスタンス情報などの情報を指す。たとえば、アファーストＦＬＣ値を備えるロケーションアシスタンス情報は、ＭＳ１２０の推定された第１のポジションとポジション不確実性とに基づいて、ＭＳ１２０にアファーストマップレイヤ内で提供され得る。ＭＳ１２０のポジション／ポジション不確実性が、以前に提供されたロケーションアシスタンス情報に基づいて改良されるか再推定される時には、改良されたポジション推定値／ポジション不確実性に基づくＦＬＣ値が、ＭＳポジションのより正確な決定を容易にするために、別のマップレイヤから取り出され得る。
【００４７】
[0062]一般に、マップレイヤは、様々な他のタイプの情報を備えることができる。たとえば、マップレイヤは、受信信号強度をマップロケーションに相関させる受信信号強度マップレイヤと、信号対雑音比（ＳＮＲ）をマップロケーションに相関させるＳＮＲマップレイヤと、見通し線条件（ＬＯＳ）が１つまたは複数のアンテナに関して可能性が高いマップロケーションを示すＬＯＳマップレイヤと、非見通し線マップレイヤとのうちの１つまたは複数を備えることができ、ＮＬＯＳマップレイヤは、ＮＬＯＳ条件またはボディブロックド（body blocked）条件が１つまたは複数のアンテナに関して可能性が高いマップロケーションを示す。いくつかの実施形態では、マップレイヤは、ＢＳＡ内のロケーションについてアンテナのマルチパスの範囲の表示を提供するために、少なくとも１つのマルチパスレイヤをも備えることができる。さらに、一実施形態では、マルチパスレイヤは、除外ゾーン、マルチパスの大きさの表示、および／もしくは長シャドウ領域内のアンテナの信号減衰レベルを備える、アンテナの長シャドウ領域を示すための長シャドウレイヤ、または短シャドウ領域内のアンテナ信号のタイミング粒度情報を備えるアンテナの短シャドウレイヤ領域を示すための短シャドウレイヤ、またはアンテナの少なくとも１つのカバレージエリア内の一意の送信パターンを示すための送信するパターンレイヤのうちの少なくとも１つをさらに備えることができる。いくつかの実施形態では、ＭＳ１２０は、ロケーションとロケーション不確実性とを推定するために１つまたは複数のマップレイヤ内の情報を使用することができ、ロケーションとロケーション不確実性とに基づいて、追加のマップレイヤを要求することができる。いくつかの実施形態では、複数のマップレイヤが、ＭＳ１２０のロケーション／ロケーション不確実性に基づいてＭＳ１２０に供給され得る。一般に、マップレイヤを備えるロケーションアシスタンス情報は、ＭＳ１２０との通信に使用されるプロトコル、通信に使用可能な帯域幅、信号条件、コスト、通信、メモリ、および／またはＭＳ１２０で使用可能な処理能力と様々な他のパラメータとに基づいて、ＭＳ１２０に供給され得る。
【００４８】
[0063]いくつかの実施形態では、マップ上の各領域は、マップレイヤの粒度に依存する可能性がある１つまたは複数の境界点の座標（たとえば、緯度、経度、高度）によって識別され得る。したがって、これらの実施形態では、領域内の点に関する測定値は、集計され、領域に関連付けられ得る。集計された測定値と関連するデータとの階層の一部またはすべてが、そのポジション／ポジション不確実性に基づいてＭＳ１２０に供給され得る。
【００４９】
[0064]いくつかの実施形態では、サーバ１５０は、複数のＭＳ１２０によって決定された、アンテナ１４０のロケーション、到着時刻、および／またはＧＰＳ測定値を含む測定データを有するＢＳＡを備えることができる。いくつかの実施形態では、複数のＭＳ１２０から受信された測定値は、既存の／記憶された測定値とともに集計され、セルラネットワーク内のセル１４５内のポジションの統計的に有意な空間的に変動するＦＬＣを決定するのに使用され得る。たとえば、マップ３００上の連続領域が、領域の外部のＦＬＣ値に対する相対的な領域内のＦＬＣ値の統計的類似性に基づいて形成され、および／または境界を定められ得る。したがって、ある領域内の各ロケーションは、その領域内の他のポジションに統計的に類似するＦＬＣ値を有する可能性がある。
【００５０】
[0065]いくつかの実施形態では、基地局アルマナックデータベースは、当初に、デフォルトの、平均の、または推定されたＦＬＣ値を用い、穏当に正確なアンテナポジションを用いて構成され得る。いくつかの実施形態では、既存のＢＳＡが、複数のＭＳ１２０および／またはＰＤＥから受信された複数の追加測定値２０８に基づいて使用され、更新され得る。複数のＭＳ１２０／ＰＤＥによって行われた繰り返される測定に基づいて、アンテナポジション推定値および空間的に変動するＦＬＣ値が、経時的に継続して改善され、順方向リンク較正正確さを改善するのに使用され得る、より高いアンテナポジション確実性につながる。
【００５１】
[0066]いくつかの実施形態では、複数のＭＳ１２０によるクラウドソーシングされた測定値の使用は、空間的に変動するＦＬＣ値の提供を容易にすることができる。たとえば、ロケーションアシスタンスデータ１７８としてＭＳ１２０に供給されるＦＬＣ値は、ＭＳ１２０の推定されたロケーションに少なくとも部分的に基づくものとされ得る。空間的に変動するＦＬＣ値という用語は、ＭＳロケーション固有のＦＬＣ値および／またはＦＬＣ残差を指すのに使用され、ロケーションに伴って変化することができ、ロケーションは、変化するレベルの粒度を伴って指定され得る。たとえば、推定されたＭＳロケーションが、ＢＳＡ内の最小の使用可能なロケーション粒度より大きい領域をカバーする場合に、その領域の統計的に有意なＦＬＣ値が、供給され得る（たとえば、その領域にわたるアンテナの平均ＦＬＣ値）。その一方で、ＭＳ１２０のポジションが、より高い特異性を伴って推定され得る場合に、特定のロケーションに合わせて調整されたＦＬＣ値が、供給され得る。したがって、いくつかの実施形態で、移動局によって入手された空間的に変動するＦＬＣ値は、移動局の推定されたロケーションに関連するロケーション不確実性に依存する可能性がある。したがって、ロケーション不確実性が減る時に、ますます固有の空間的に変動するＦＬＣ値が、提供され得る。いくつかの実施形態では、空間的に変動するＦＬＣ値は、ＭＳ１２０に供給され、および／またはこれによって要求されるロケーションアシスタンスデータ内のマップレイヤとして供給され得る。逆に、ＭＳから受信された測定セット  時
[0067]クラウドソーシングという用語は、複数の移動局および／またはＰＤＥからの収集と収集された測位関連測定値および／またはＦＬＣ関連測定値の後続の集計とを指すのに使用される。ＦＬＣ関連測定値は、生の測定データおよび／またはＦＬＣ残差を含む可能性があるが、ポジションと時刻と基地局からのＴＯＡとの測定値を備えることができる。集計された情報は、開示される実施形態と一貫する形で集計された測位／ＦＬＣ関連測定値から統計的に有意なデータを導出することができるサーバ１５０に記憶され得る。
【００５２】
[0068]いくつかの実施形態では、サーバ１５０は、統計的に有意な空間的に変動するＦＬＣとシャドウイングおよびマルチパスとのモデルおよび／またはマップを作成するために、モバイルのクラウドからの生の測定情報を集計することができる。いくつかの実施形態では、サーバ１５０は、ＢＳＡおよび／またはロケーションサーバの機能の一部またはすべてを実行することができる。たとえば、サーバ１５０は、ロケーションデータを収集し、フォーマットすることができ、ポジション推定のために移動局にアシスタンスを提供することができ、および／または移動局のポジション推定値を入手するために計算を実行することができる。いくつかの実施形態では、サーバ１５０は、完全なＢＳＡを記憶するＢＳＡデータベースを管理することができるＢＳＡサーバを備えることができる。
【００５３】
[0069]いくつかの実施形態では、複数のＭＳ１２０−ｌによってクラウドソーシングされた測定値は、空間的に変動するＦＬＣ値を提供するのに使用され得る。たとえば、第１のロケーションにある移動局１２０−１は、アンテナ１４０−１に関する第１の関連するＦＬＣ値を有することができ、第２のロケーションにある移動局１２０−２は、同一のアンテナに関する第２の関連するＦＬＣ値を有することができる。変動するＦＬＣ値の多数の異なる符号化が、本明細書の教示に従ってそれぞれのポジションを計算するためにＭＳ１２０によって使用され得る。一実施形態では、ＦＬＣ値は、入力較正データと関連する係数との曲線あてはめに基づいて符号化され得る。いくつかの実施形態では、グリッド符号化（grid encoding）または円筒調和係数（cylindrical harmonic coefficient）が利用され得る。空間マップの他の例または形も、利用され得る。さらに、ＦＬＣ値は、空間マップ以外の形で提供され得る。
【００５４】
[0070]たとえば複数の移動局／ＰＤＥからの測定値のクラウドソーシングを含む、開示される実施形態は、継続的に保守される空間的に変動するＦＬＣ値を提供し、リソース集中型のフィールドワークの必要を減らすか除去することができる。さらに、信号電力（たとえば、受信信号強度インジケータ（ＲＳＳＩ））に基づく他の測位技法も、たとえば本明細書で説明される原理に従って、クラウドソーシングされるシステムを使用して類似する形でクラウドソース較正され得る。たとえば、マップレイヤは、空間的に変動するＲＳＳＩ値を備えることができる。
【００５５】
[0071]いくつかの実施形態では、たとえばクライアント／サーバクラウドソーシングされるシステムを用いる、自動化された較正は、地上測位システムを較正することに関する多数の利点を提供することができる。高いサンプリングレートが、公に所有されるモバイルデバイスによる頻繁なクラウドソーシングされたサンプリングのゆえに、ネットワーク全体を通じて維持され得る。いくつかの実施形態では、クラウドソーシングされた測定値が、ＢＳＡを作成し、および／または更新するのに使用され得る。
【００５６】
[0072]サンプリングレート、統計的有意性、および情報の正確さは、あるロケーションでのユーザ密度に比例するので、より高いユーザ密度を有する人気のあるロケーションは、頻繁に較正される。したがって、そのようなクラウドベースの較正システムは、ユーザが配置されるところおよび／またはロケーションサービスが繰り返して使用されるところにそれ自体を最適化することができる。対照的に、既存のシステムは、通常、ユーザパターンを反映しない可能性があるネットワークジオメトリまたは信号伝搬モデルのあるメトリックに基づいて較正される。さらに、移動局ユーザによってしばしば訪れられる人気のあるロケーションは、最新の統計的に有意で正確な情報を有する傾向もある。さらに、本明細書で開示される実施形態と一貫するシステムの展開中に、人気のあるロケーションのＦＬＣ情報は、より頻繁に収集される測定値に基づいてすばやく入手され得、これによって展開を容易にする。
【００５７】
[0073]いくつかの実施形態では、ＦＬＣ関連のデータおよび測定値は、「ウォードライビング」によっても収集され、および／または補足され得る。ウォードライビングでは、車両または人が、車両ポジションに対応することができるワイヤレス信号の測定値をとることができる。収集された測定値は、ＢＳＡデータベースに記憶された測定値とともに集計され、および／またはこれを補足するのに使用され、および／またはこれを置換することができる。いくつかの実施形態では、ＭＳユーザ（たとえば、ＦＬＣ関連測定値が望まれるロケーションまたはルートの付近にいるユーザ）は、そのロケーションに移動し、および／または指定されたルートをたどるように奨励され得る。たとえば、所望のロケーションの付近またはルートに沿った施設をターゲットとする現金の報奨金、リベート、無料通話時間、または奨励金の形の報奨金が、奨励金として使用され得る。いくつかの実施形態では、ユーザ同意が、周期的に測定を行い、報告することができるアプリケーションをスマートフォンにインストールするために入手され得る。いくつかの実施形態では、測定値は、通常のポジションロケーションセッション中および／またはユーザが電話をかける時に、移動局から入手され得る。いくつかの実施形態では、「日和見主義的」ＦＬＣ関連信号測定が、実行され得る。たとえば、ユーザ同意を伴ってインストールされたアプリケーションは、ポジションフィックスがＭＳ１２０によって入手される時にセルラシステム信号を測定し、測定セットをサーバ１５０に送ることができる。いくつかの実施形態では、測定セットは、ポジションフィックスの正確さがあるしきい値を超える時に、サーバ１５０に送られ得る。いくつかの実施形態では、測定セットは、ＭＳ１２０が、追加の較正が価値がある可能性があるエリア内に配置されている時に、送られ得る。
【００５８】
[0074]図４Ａは、都市環境の例示的な地形図１９０を示す。基地局送信機の周囲に構築された物理的環境は、信号経路の変動を引き起こし得るが、時間較正は、基地局のハードウェアおよび／または構成に依存し得る。たとえば、ビルディングおよび他の特徴は、図４Ａ内の様々なロケーションで観察されるセルタイミングに影響する可能性がある。したがって、アンテナ１４０−ｉの周囲の様々なロケーションで観察されるセルタイミングは、タイミングバイアスと経路遅延との組合せになり得る。したがって、開示される実施形態は、タイミングバイアスと経路遅延とを少なくとも部分的に考慮に入れることができる空間的に変動するＦＬＣ値の導出を容易にする。一般に、マルチパス効果が存在する時には、相対位相、相対信号強度（ＳＮＲ）、絶対信号強度、または先験的ポジション推定値のうちの１つまたは複数が、空間的に変動するＦＬＣ値の導出で使用され得る。
【００５９】
[0075]図４Ａに示されているように、地形図４００は、グリッドに分割され得る。たとえば、グリッドタイルは、１ｋｍｘ１ｋｍサイズを表すように選択され得、各グリッドタイルは、関連するアンテナ固有ＦＬＣ残差を有することができ、各ＦＬＣ残差は、測定値がグリッドタイル内で使用可能であるアンテナに対応することができる。上のグリッドサイズが、例示にすぎないことに留意されたい。一般に、グリッドタイルは、均一または不均一であり、システムパラメータ、ある領域にわたるＦＬＣ値の分布および変動などの統計的有意性、ならびに／または所与の環境について望まれる／使用可能であるポジション粒度に基づくものとされ得る。
【００６０】
[0076]いくつかの実施形態では、マップ４００は、より上のレベルの粗ポジション粒度からより下のレベルの微細ポジション粒度までの範囲にわたることができる階層マップのセットの１レイヤとされ得る。たとえば、上レベルマップレイヤ（たとえば、粗ポジション粒度を有する）は、ある分解能でのＦＬＣ値のグリッドを含むことができ、次により下のレベルのレイヤは、第２の分解能での（たとえば、より微細なポジション粒度を有する）ＦＬＣ値のグリッドを含むことができる。
【００６１】
[0077]図４Ａでは、たとえば、ＭＳ１２０の初期ロケーション推定値が、ＭＳ１２０がグリッドタイル４０２内に配置されていることを示す場合に、ＭＳ１２０に供給されるロケーションアシスタンスデータは、図４Ｂに示されているように、マップ４３０（グリッドタイル４１０に関係する）に関する測定情報を備えることができる。さらに、図４Ｂに示されているように、グリッドタイル４１０のマップ４３０は、より微細なポジション粒度を有するさらにより下のレベルのグリッドを含むことができ、アンテナ固有ＦＬＣ値／残差に関連する各より下のレベルのグリッドタイルは、測定値がそのより下のレベルのグリッドタイル内で使用可能であるアンテナに対応する。
【００６２】
[0078]したがって、いくつかの実施形態では、ＭＳ１２０は、当初に、粗分解能での関連するＦＬＣ値を有するマップレイヤ４００（図４Ａ）を使用することができる。マップレイヤ４００内の情報は、たとえば、ＭＳ１２０の初期フィックスを入手するためのプレフィックス測定／計算に使用され得る。さらに、そのように入手された初期フィックスが、より小さいポジション不確実性をもたらす時には、適当なマップグリッド（またはマップ４００内のＭＳポジション）が、新しいより小さいポジション不確実性と一貫するより微細な分解能のグリッドと関連するＦＬＣ値とを提供することができる、より高い分解能のマップ／ＦＬＣテーブル（図４Ｂのマップ４３０または図４Ｃのマップ４４０など）へのインデックスとして使用され得る。
【００６３】
[0079]したがって、ＭＳ１００は、反復的な形でマップに補正を適用することができる。たとえば、平均および／または加重平均のバイアスおよび分散などの複数のマップ値の統計的表現が、所与のロケーションでの較正値および不確実性とロケーション不確実性とを表すのに使用され得る。これらの較正のうちの１つまたは複数が、改善されたロケーション推定値を決定するのに使用された後に、ＭＳは、狭められたロケーションとロケーション不確実性とに基づいて新しい補正値を再計算することができる。この狭めるさらなるステップは、より不正確なマップに関連するエリアのサブセットをカバーする、より正確でローカルに定義されたマップの取出しを含むことができる。いくつかの実施形態では、関連する較正および／またはＢＳＡデータを有するマップの階層が、ロケーションアシスタンスデータとしてＭＳ１２０に供給され得る。
【００６４】
[0080]図４Ｃは、屋内ロケーションマップの平面図を示す。このマップは、たとえば、より上のレベルのマップに登録された先在するフロアプランのイメージを使用して、決定され得る。このマップは、屋内環境内の観察された遅延、信号強度、および／もしくは減衰、または、構造の１つもしくは複数の表面に関連する減衰、反射、および／もしくは吸収を含むことができる。屋内マップまたは構造マップは、様々な技法を使用しても決定され得る。このマップは、たとえば以前のヒストリまたは計画されたナビゲーションルートに基づいて、デバイスが構造内または構造の付近にあると決定された後に、または構造内にいることの既知の計画がある時に、ダウンロードされ得る。ＭＳ１００は、そのヒストリカル使用および／または計画された将来の使用に基づいて、このマップまたはマップのあるレイヤを記憶することを選択することができる。一実施形態では、マップは、たとえばＭＳ上で使用可能なメモリに対する相対的なマップまたはレイヤのサイズに関連するコスト、進行中の記憶、実際の財務コスト、その他など、マップを記憶し続けることのコストと比較され得る様々な判断基準（たとえば、正確さ／ユーザビリティ／完全さ、精度、使用の尤度または頻度、所与のロケールでの使用の価値など）に基づいて、値を割り当てられ得る。
【００６５】
[0081]したがって、ＭＳ１２０の初期ロケーション推定値が、ＭＳ１２０がグリッドタイル４２０内に配置されていることを示す場合に、ＭＳ１２０に供給されるロケーションアシスタンスデータは、ロケーション推定値および／または初期測定値が、ＭＳ１２０がグリッドタイル４２０内の構造内に配置されている可能性が高いことを示す場合に、その構造の屋内マップ４４０の測定値情報を備えることができる。さらに、いくつかの実施形態では、屋内マップ４４０の相対座標および／またはアシスタンスデータは、屋内の信号測定条件が外部の条件からかなり変化する可能性があるので、すぐ上のレベルのマップレイヤで提供される座標にゆるく関連付けられまたはこれと独立であるものとされ得る。
【００６６】
[0082]図５は、信号が特徴５２０からのナイフエッジ回折または反射を介して間接経路５３０を介して長シャドウ領域５４０というラベルを付けられたエリア内で受信される場合の、大きい障害物５１０のシャドウの中のＭＳ１２０を示す。図５は、長いマルチパスの名目上のケースを示す。
【００６７】
[0083]いくつかの実施形態では、ＭＳが、アンテナ１４０−ｉの長シャドウ領域５４０にあると決定される場合に、特定のｅｖｏｌｖｅｄ  ＮｏｄｅＢ（ｅＮＢ）またはセルのアンテナ１４０−ｉに関するすべての測定値は、無視されまたは除外され得る。いくつかの実施形態では、ＭＳ１２０が長シャドウ領域５４０内にあるかどうかの決定は、以前の測定イベントでの時間または遅延の長さに少なくとも部分的に基づいて行われ得る。いくつかの実施形態では、ＭＳ１２０が長シャドウ領域５４０内にあるかどうかの決定は、その推定されたロケーションと、マルチパスマップまたは較正マップにおける先験的に計算された確率とに少なくとも部分的に基づいて行われ得る。
【００６８】
[0084]いくつかの実施形態では、マップは、複数のレイヤを備えることができ、マルチパス情報は、マップの１つまたは複数のレイヤの一部であり得る。一般に、マップは、複数のレイヤからなるとみなされ得る。一実施形態では、連続するマップレイヤ（たとえば、最上位から下へ）は、増加するポジション粒度を提供することができ、各レイヤは、そのマップレイヤ内の様々なロケーションでの、そのマップレイヤに対応するポジション粒度での、アンテナ１４０−ｉごとの、ＢＳＡに記憶されたＦＬＣ値／残差、信号強度、信号減衰レベル、および／または他の情報に関する情報などを含むことができる。しかしながら、マップは、本明細書で開示される実施形態と一貫する様々な他の形で、ならびに／または情報がＭＳ１２０によってどのように使用されるのかとシステム構成パラメータとに基づいて、ならびに／またはロケーションアシスタンスデータを提供するために使用されるプロトコルおよび／もしくは標準規格に従うために、編成され得る。たとえば、マップは、別個の情報レイヤ、次元、および／または数学モデルとしてＭＳ１２０に伝えられ得る一連の情報レイヤを備えることができる。
【００６９】
[0085]一実施形態では、マップは、所与のエリアの長シャドウ領域を示すことができる長シャドウレイヤを含むことができるマルチパスマップレイヤを備えることができる。いくつかの実施形態では、長シャドウ領域マッピングは、測定を行うべきかどうかを決定するために、ＭＳ１２０によって使用され得る。たとえば、ＭＳ１２０は、その推定されたロケーションが、それがあるアンテナ１４０−ｉについて長シャドウ領域２４０内にあることを示す場合に、測定を行うのを止めることができる。いくつかの実施形態では、ＭＳ１２０の推定されたロケーションが、それが長シャドウ領域２４０内にある可能性が高いことを示す場合に、サーバ１５０は、アンテナ１４０−ｉの測定値の検索の望ましさをダウングレードするために、ロケーションアシスタンスデータをＭＳ１２０に送ることができる。
【００７０】
[0086]いくつかの実施形態では、長シャドウマップが、測定がはるかに望ましくない領域を指定するので、長シャドウマップは、タイミング粒度を含まないものとされ得る。さらに、長シャドウマップは、ポジション粒度が重視を止められ得るようにするために、相対的に大きい領域を指定する可能性も高い。たとえば、悪くサービスされる連続した長シャドウ領域は、マップ４００などのマップ上に単一の大きいグリッドを備える可能性がある。いくつかの実施形態では、長シャドウマップは、測定が信頼できるものではない長シャドウ領域（たとえば、長シャドウ領域２４０）を示す多角形によって指定される除外ゾーンとして提供され得る。いくつかの実施形態では、マップ内の長シャドウ領域は、長シャドウ情況の尤度が観察された信号減衰から少なくとも部分的に決定され得るようにするために、信号減衰レベルデータをも含むことができる。
【００７１】
[0087]したがって、いくつかの実施形態では、初期の推定されたロケーションでのアンテナ１４０−ｉの観察された信号減衰に基づいて、ＭＳ１２０は、測定がアンテナ１４０−ｉについてはるかに望ましくない領域を指定することができる長シャドウマップレイヤを要求することができる。長シャドウマップレイヤ内で提供される初期の推定されたポジションの信号減衰レベルが、ＭＳ１２０が長シャドウ領域内にあることを示す場合には、ＭＳ１２０は、アンテナ１４０−ｉからのさらなる測定値が入手されない信号獲得方法を選択することができる。もう１つの例として、ＭＳ１２０によって作られた（信号強度ベースの）測定セットおよび長シャドウマップレイヤ内の情報が、ＭＳ１２０がアンテナ１４０−ｉの長シャドウ領域内にあることを示唆する場合には、その測定セットは、ナビゲーション解決において、重みを減らされまたはより少ない重みを与えられ得る。
【００７２】
[0088]ＬＴＥは、セル固有基準信号（Ｃｅｌｌ  Ｓｐｅｃｉｆｉｃ  Ｒｅｆｅｒｅｎｃｅ  Ｓｉｇｎａｌ（ＣＲＳ））とＰｏｓｉｔｉｏｎｉｎｇ  Ｒｅｆｅｒｅｎｃｅ  Ｓｉｇｎａｌ（ＰＲＳ）との使用をも提供する。ＰＲＳは、３ＧＰＰ  Ｌｏｎｇ  Ｔｅｒｍ  Ｅｖｏｌｕｔｉｏｎ（ＬＴＥ）Ｒｅｌｅａｓｅ−９で定義されているが、測位機会（positioning occasion）にグループ化される特殊な測位サブフレーム内で基地局によって送信される。たとえば、ＬＴＥでは、測位機会ＮPRSは、１つ、２つ、４つ、または６つの連続する測位サブフレームを備えることができ（ＮPRS∈｛１，２，４，６｝）、１６０、３２０、６４０、または１２８０ミリ秒の間隔で周期的に発生することができる。測位機会は、連続する測位機会の始めの間のサブフレーム数に関して測定され得るＰＲＳ周期性ＴPRSで再発する。
【００７３】
[0089]各測位機会内に、ＰＲＳは、一定の電力で送信される。ＰＲＳは、ゼロ電力で（すなわち、ミュートされて）も送信され得る。規則的にスケジューリングされたＰＲＳ送信をオフに切り替えるミュートは、セルの間のＰＲＳパターンがオーバーラップする時に有用である可能性がある。ミュートは、ＭＳ１２０による信号獲得を助ける。ミュートは、特定のセルでの所与の測位機会の間のＰＲＳの非送信とみなされ得る。ミュートパターンは、ビットストリングを使用してＭＳ１２０にシグナリングされ得る。たとえば、ミュートパターンをシグナリングするビットストリング内で、ポジションｊのビットが「０」をセットされる場合には、ＭＳは、ＰＲＳが第ｊの測位機会の間にミュートされると推論することができる。
【００７４】
[0090]ＰＲＳのヒアラビリティ（hearability）をさらに改善するために、測位サブフレームは、ユーザデータチャネルを伴わずに送信される低干渉サブフレームとされ得る。その結果、理想的に同期化されたネットワークでは、ＰＲＳは、同一のＰＲＳパターンインデックスを有する（すなわち、同一の周波数シフトを有する）他のセルＰＲＳからの干渉を受けるが、データ送信からは受けない。たとえば、ＬＴＥでの周波数シフトは、物理セル識別子（Ｐｈｙｓｉｃａｌ  Ｃｅｌｌ  Ｉｄｅｎｔｉｆｉｅｒ（ＰＣＩ））の関数と定義され、６の有効周波数再利用係数をもたらす。
【００７５】
[0091]ミュートのゆえに、ＬＴＥでは、信号強度は、しばしば、Ｐｈｙｓｉｃａｌ  Ｃｅｌｌ  Ｉｄｅｎｔｉｆｉｅｒ（ＰＣＩ）と時間（ミュートマスク内のスロット数）との両方の関数である。したがって、ＬＴＥのＣＲＳ／ＰＲＳ信号のタイムスロッティングを用いると、各グループ内の最強のセルまたは強い干渉源が存在しない場合に熱雑音のいずれかによってセットされ得る複数の異なる雑音フロアがある可能性がある。
【００７６】
[0092]連続する測位フレームの個数、周期性、ミュートパターン、その他などのＰＲＳ構成パラメータは、ネットワーク１３０によって構成され得、ＯＴＤＯＡ／ＡＦＬＴアシスタンスデータを備えることができるロケーションアシスタンスデータの一部としてＭＳ１２０に（サーバ１５０によって）シグナリングされ得る。いくつかの実施形態では、ロケーションアシスタンスデータは、ＭＳ１２０上のポジション決定モジュール（ＰＤＭ）および／または測位エンジン（ＰＥ）によって処理され得る。たとえば、ＭＳ１２０とサーバ１５０との間でのＬＰＰメッセージまたはＬＰＰｅメッセージは、ＯＴＤＯＡアシスタンスデータを含むロケーションアシスタンスデータを転送するのに使用され得る。ＯＴＤＯＡアシスタンスデータは、基準セル情報と隣接セルリストとを含むことができる。基準セルおよび隣接セルリストは、各々、セルのＰＣＩならびにセルのＰＲＳ構成パラメータを含むことができる。
【００７７】
[0093]ＯＴＤＯＡアシスタンスデータは、通常、「基準セル」に対する相対的な１つまたは複数の「隣接セル」または「隣接するセル」について供給される。たとえば、ＯＴＤＯＡアシスタンスデータは、期待されるＲＳＴＤパラメータの不確実性と一緒に、ＭＳがその現在のロケーションで測定すると期待されるＲＳＴＤ値に関する情報をＭＳに提供する「期待されるＲＳＴＤ」パラメータを含むことができる。次いで、期待されるＲＳＴＤは、不確実性と一緒に、ＭＳがＲＳＴＤ値を測定すると期待される、ＭＳの検索ウィンドウを定義する。ＯＴＤＯＡアシスタンスデータ隣接セルリスト内のセルの「期待されるＲＳＴＤ」は、通常、ＯＴＤＯＡアシスタンスデータ基準セルに対して相対的に提供される。ＯＴＤＯＡアシスタンス情報は、ＭＳが、ＰＲＳ測位機会が様々なセルから受信される信号上で発生する時を決定し、ＴＯＡを測定するために様々なセルから送信されるＰＲＳシーケンスを決定することを可能にする、ＰＲＳ構成情報パラメータをも含むことができる。
【００７８】
[0094]いくつかの実施形態では、複数のマップレイヤを備えることができるロケーションアシスタンスデータは、ロケーション固有送信するパターン情報を含むことができる。たとえば、あるロケーションで使用可能なネットワーク内の各一意の送信するパターンに関する情報は、ロケーションアシスタンスデータの一部として指定され得る。一実施形態では、マップは、１つまたは複数のアンテナのカバレージエリア／サブエリアを備える領域内の一意の送信パターンを示すために、送信するパターンレイヤを含むことができる。
【００７９】
[0095]送信するパターンデータが大きい可能性がある場合、および／または送信するパターンデータを受け取る／記憶するリソースが使用不能である場合には、マップ内の送信するパターン情報は、複数の回帰技法を使用して減らされ、および／または集計されたデータに基づいて調整され得る。たとえば、いくつかの実施形態で、複数の回帰技法は、低頻度の傾向の正確な取込を強調することができる。いくつかの実施形態で、ＭＳ１２０に送信されるロケーションアシスタンスデータは、送達の前に適当なデータ圧縮技法を使用して圧縮され得る。
【００８０】
[0096]いくつかの実施形態では、マルチパスマップが、強いマルチパスを有するロケーションを識別することができる。いくつかの実施形態では、たとえば、弱いマルチパスを有する情況で、マルチパスの大きさが、正確な較正と除去とを可能にするために提供され得る。いくつかの実施形態では、ＭＳ１２０の推定されたロケーションが、片側に強いマルチパス、反対側にきれいな信号を有するマルチパス領域のエッジの付近にＭＳ１２０を配置する場合に、マップレイヤ情報の一部として提供され得る絶対信号強度測定値が、ＭＳ１２０が長シャドウ領域５４０内または外部のどちらにあるのかを決定するために、ＭＳ１２０によって使用され得る。
【００８１】
[0097]図６は、信号が短シャドウ領域６６０というラベルを付けられたエリア内で受信される、小さい障害物６５０のシャドウの中のＭＳ１２０を示す。家、木、丘、または他の相対的に小さい障害物が直接経路をブロックする時など、障害物が小さい時には、直接迷路は、より長い擬似ランダム雑音（ＰＮ）チップ長未満である可能性がある。「チップ」、「ＰＮチップ」、または「チップシーケンス」という用語は、直接シーケンススペクトラム拡散（ＤＳＳＳ）信号を入手するためにデータ信号を変調する擬似ランダム雑音とも称する拡散符号シーケンスを指す。したがって、「ファットパス（fat path）」条件が、１ＰＮチップ未満だけ分離された複数のマルチパス成分がある可能性があるので生じる可能性がある。
【００８２】
[0098]いくつかの実施形態で、マルチパスマップは、所与のエリアの短シャドウ領域を示すことができる短シャドウマップレイヤを備えることができる。たとえば、住宅地では、比較的開けた見通し線を有するエリアと、短シャドウの高い尤度を有するエリアとがある可能性がある。開けた街路が信号移動方向に整列される範囲で、開けた街路は、直接見通し線のより高い確率をもたらし得る。その一方で、家の列は、長い短シャドウ領域をもたらす可能性があり、あるいは、家の間に間隔がある場合には、間欠的なシャドウ／非シャドウ領域をもたらす可能性がある。
【００８３】
[0099]さらに、いくつかの実施形態では、ＭＳ１２０の推定されたロケーションに関連する絶対信号電力情報は、ＭＳ１２０が短シャドウ領域２６０内にあることの検出時に、マルチパスのバイアスと広がりとの特徴を表すのに使用され得る。短シャドウのゆえに、相対信号強度は、短シャドウ領域２６０ではぼかされる可能性が高くなり得る。たとえば、異なるセルの信号強度は、シャドウ内であれシャドウ外であれ、両方のセルが同一の減衰を有する可能性があるので、関心を持たれているセルのマルチパスに対して相対的に重要ではない可能性がある。いくつかの実施形態では、ＭＳ１２０は、ロケーションアシスタンスデータ内の情報に基づいて、ロケーション決定に使用される測定されるべきパラメータを選択し、および／またはパラメータに重みを付けることができる。たとえば、いくつかの実施形態では、相対信号強度は、ＭＳ１２０が短シャドウ領域２６０内にあると決定される情況で、より少ないまたは０の重みを与えられ得る。
【００８４】
[00100]いくつかの実施形態では、ローカル地形に対する相対的な信号の迎角が、シャドウの長さを、したがってその相対サイズを決定する。したがって、トポロジデータベースおよび／またはビルディングマップデータベースが、ありそうなシャドウ領域の先験的マップを作成するのに使用され得る。いくつかの実施形態では、短シャドウ領域が、クラウドソーシングされたフィードバックを使用して推論されまたは改良され得る。短シャドウ領域、長シャドウ領域などを決定するのにトポロジ的特徴を使用する外部データベースに基づく先験的マップ作成は、オフラインで実行され得る。
【００８５】
[00101]いくつかの実施形態では、マルチパスマップは、短シャドウマップを備えるレイヤを含むことができる。いくつかの実施形態では、短シャドウマップは、微細タイミング粒度情報を含むことができる。たとえば、微細タイミング粒度は、信号内の完全な１チップ未満の遅延を誘導するはずの物体から短シャドウが生じる場合に提供され得る。
【００８６】
[00102]ＬＴＥについて、チップ幅は、比較的小さく、その結果、いくつかの実施形態では、短シャドウマップが、都市送信機の周囲の狭いエリアと、郊外送信機および田舎送信機の周囲の相対的に広いエリアとを含むことができるようになる。いくつかの実施形態では、広大な森は、信号が木の梢に沿って移動し、次いでモバイルがたまたまそこにある森に下へ移動するので、短シャドウエリアと考えられ得る。いくつかの実施形態では、このマップは、見通し線（ＬＯＳ）条件があてはまる、森の中の開けた場所を含むことができ、あるいは、丘または他の地理的特徴によって作成され得る長シャドウエリアがあり得る。
【００８７】
[00103]信号強度とマルチパスとに影響する、様々な予測不能な要因がある可能性がある。たとえば、未知である可能性があるデバイス方位が、アンテナ利得に影響する可能性がある。いくつかの場合に、ユーザの身体が、モバイルデバイスの周囲のいくつかの方向で信号のある分数をブロックする可能性がある。いくつかの実施形態では、信号強度（絶対および／または相対）および／または期待されるアンテナ利得に対する相対的な測定されたアンテナ利得が、ボディブロッケージ（body blockage）情況からデバイス方位を区別するのにＭＳ１２０によって使用され得る。さらに、所与の信号を受信する能力は、モバイルとそのセルアンテナとの間のボディブロッケージだけに依存するのではなく、モバイルと、所与のミュートスロット内でたまたま送信しつつある最強の干渉するセル（たとえば、同一のＰＣＩ  ｍｏｄ  ６を有する）との間のボディブロッケージにも依存する可能性がある。そのような情況では、可視性と、ある程度までの期待されるマルチパスとが、ミュートスロットに依存し、マルチパスマップと可視性マップとに時間変動する要因を追加する可能性がある。いくつかの実施形態では、上で説明されたものなどの予測不能な要因は、短シャドウに似た形でモデル化され得る。ボディブロッケージは、構造のブロッケージに類似するマルチパス効果をもたらす可能性があり、類似する形で推論され得る。したがって、適当な空間的に変動するＦＬＣマップレイヤが選択され得るように、空間的に変動するＦＬＣマップの異なるＮＬＯＳレイヤとＬＯＳレイヤと、ならびに期待されるＬＯＳ信号強度のマップを有することが、有用である可能性がある。信号強度が、絶対電力（たとえば、ｄＢｍ）または信号対雑音比などの相対電力（たとえば、ＳＮＲ、Ｅｃ／Ｉｏ、Ｃ／Ｎｏ、など）に関して報告され得ることに留意されたい。
【００８８】
[00104]いくつかの実施形態では、ＭＳ１２０は、複数の別個の経路から信号を受信することができ、これらの複数の経路は、記録され得る。たとえば、ＭＳ１２０が屋内にあるかボディマスクされる時に、より強い経路が、受信され得る。したがって、ＭＳ１２０は、その特定の経路に較正を関連付けることができる。従来のシステムでは、移動局は、通常、測定のために最も古い分離可能な経路を選択することができる。本明細書で開示されるいくつかの実施形態では、マッピングのために、ＭＳ１２０は、複数の経路を選択し、その測定を行うことができる。たとえば、一実施態様では、最も古くに到着する信号経路と最強の信号経路との両方が、それらが異なる場合に、測定のために選択され得る。
【００８９】
[00105]いくつかの実施形態では、ＭＳ１２０に供給されるマップ内の情報は、信号の検出の尤度と、ＭＳ１２０の初期ポジション不確実性の推定値と一緒のＭＳ１２０の推定されたポジションでのありそうな正確さとのうちの１つまたは複数の表示を含むことができる。さらに、いくつかの実施形態では、ＭＳ１２０に供給されるマップは、ＬＯＳ条件の尤度、長いマルチパス条件の欠如、および／またはＭＳ１２０が長シャドウ領域または短シャドウ領域内にあるかどうかの決定のうちの１つまたは複数の表示をも含むことができる。このマップは、モバイルが、ファーストオーダーモデルを用いて単純なリンク分析を実行できるように、ｅＮｏｄｅＢアンテナロケーション、アンテナパターン、および出力電力などの単純な注釈を含むことができる。さらに、このマップは、このファーストオーダーモデルと、より高次の補正項を含むよりローカライズされたモデルとの間の相違を含むことができる。
【００９０】
[00106]いくつかの実施形態では、ＭＳ１２０は、信号フィックスを入手するための獲得方法を決定するために、提供される情報を使用することができる。いくつかの実施形態では、ＭＳ１２０は、ロケーションアシスタンスデータ内の情報に基づいて、測定されるべきパラメータ、獲得されるべき信号、および／またはロケーション決定に使用される重みパラメータを選択することができる。たとえば、ＭＳ１２０の初期ポジション不確実性が大きい場合に、ＭＳ１２０は、不確実性の領域にわたって平均をとられた平均値を使用することができる。いくつかの実施形態では、加重平均が使用され得る。もう１つの例として、ＭＳ１２０は、サービングセルカバレージエリア内の最も広いカバレージを有する信号の検索および／またはその測定に優先順位を与えることができる。たとえば、大きい「ブーマー」サービングセルが、ブーマーセルのカバレージエリア内の複数のより小さいセルと一緒に存在する場合に、ＭＳ１２０は、サービングセルカバレージエリア内で最も広いカバレージを有する「ブーマー」セル信号を検索し、および／またはこれを測定することができる。その一方で、サービングカバレージエリアの小さい部分が、これらのより大きいセルのみによって良好にカバーされてはいない場合には、ポジション不確実性に基づいて、ＭＳ１２０は、このより小さい領域内の少数のセルからの信号を検索し、および／または測定する獲得方法を選択することができる。いくつかの実施形態では、ＭＳ１２０の推定されたポジションとポジション不確実性とに少なくとも部分的に基づいて、至近距離のセルからの信号および／または大きい迎角を有する信号を検索すること、および／またはこれを測定することに強調が置かれ得る。
【００９１】
[00107]いくつかの実施形態では、ＭＳ１２０は、測位決定の方法を選択するために、広い短シャドウ信号ユーザビリティ、ＬＯＳ条件、および／または長マルチパス条件の欠如の尤度に関連して、提供されるマップ内の情報を使用することができる。たとえば、測位の正確さの制約が、短シャドウ信号の幅広い使用を可能にする場合には、ＭＳ１２０は、短シャドウ信号を使用することを選択することができる。そうでない場合には、ＬＯＳ信号が使用され得る。いくつかの実施形態では、マルチパスマップは、ＬＯＳ条件が１つまたは複数のアンテナに関して可能性が高いロケーションを示すＬＯＳレイヤまたはＬＯＳ情報を含むことができる。
【００９２】
[00108]たとえば、ＭＳ１２０は、より多くの情報がフィックスのために使用可能になる時に、より改良されたマップレイヤを選択するか、マップレイヤの混合を改良することができる。たとえば、ポジションと環境との推定の改良の第１の反復（初期の推定されたポジションに基づく）の後に、複数の送信機の見通し線を有する尤度が、決定され得、これらの尤度が、複数の送信機の各々からの信号を検索するための優先順位順序を決定するために比較され得る場合である。したがって、低い優先順位を有する信号は、全く検索されない可能性があり、あるいは、それらは、しばしばまたは長い間検索されない可能性がある。さらなる実施形態では、特定の測定が見通し線であった確率は、測定信号強度と、他の測定特性と、ＬＯＳ信号強度マップとの組合せから決定され得る。たとえば、デバイスが、所与の送信機への見通し線を有する可能性が９０％あることが、決定され得る。したがって、見通し線ＦＬＣマップでの誤差の広がりは、長マルチパスマップまたは短マルチパスマップの誤差の広がりより大きい重みを与えられ得る。
【００９３】
[00109]いくつかの実施形態では、ＭＳ１２０は、信号獲得／測定／報告の方法を決定する時に、マップ内のマルチパス情報の使用に関連して様々な他の考慮事項をも使用することができる。たとえば、ＭＳ１２０は、どの信号を獲得／測定すべきかを決定するために、その最近の信号獲得ヒストリを使用することができる。一例として、進行中のナビゲーションのシナリオでは、ＭＳ１２０のポジションは、相対的によく知られている可能性が高く、信号獲得ヒストリは、使用可能である可能性が高い。したがって、この信号獲得ヒストリと信号正確さヒストリとのある組合せが、モバイルがどれほどしばしば所与の信号を検索することを選択できるのかと、どの補正を適用すべきかと、関連する集計測定値不確実性と、したがって各測定値にどの重みを割り当てるべきかとを決定するために、マルチパスマップに関連して使用され得る。
【００９４】
[00110]ＭＳ１２０のポジションが相対的によく知られている情況では、正確さがより重要になる可能性が高い。したがって、ＭＳ１２０は、たとえば、所与のロケール内の異なるロケーションで見られる可能性が高い誤差の分布、測定値その相対的な正確さのある種のセットの共同可視性（co-visibility）などを含む、ローカル環境の改良されたおよび／またはより詳細なマップを使用することができる。たとえば、ビルディングの片側で、ＬＯＳ条件が、窓からまたは効果的に壁を介してさえすべてのセルアンテナに対して存在する可能性があるが、非見通し線（ＮＬＯＳ）条件が、そのビルディングの反対側でこれらのセルアンテナに関して存在する場合がある。そのビルディング内では、相対信号強度は、たとえば屋根の上に建っている間に観察され得るものに類似する可能性があるが、絶対信号強度は、多少より弱くなる可能性がある。したがって、そのビルディングの内部にいる尤度は、これらの絶対信号レベルと相対信号レベルとから推論され得る。次いで、この情報は、たとえば、それぞれの構造のよりローカライズされた屋内マップを選択するのに使用される。屋内マップは、たとえば、構造の複数の表面の相対ロケーションおよび／または絶対ロケーションと一緒に、そのような表面を介する減衰値を提供することができる。ＮＬＯＳ条件は、モバイルデバイスのポジションにおける大きいバイアスを生じる可能性がある。したがって、モバイルは、所与の情況でＬＯＳになる可能性が最も高い測定値のセットからの獲得／測定／ナビゲーションにより大きい重みを与えることを選択することができる。いくつかの実施形態では、ＭＳ１２０は、ＭＳ１２０の推定されたロケーションでの期待される電力に対する相対的な信号減衰に基づいて、または前記ロケーションでの期待されるＳＮＲに対する相対的なＳＮＲに基づいて、および／またはＳＮＲの値に基づいて、ＬＯＳ対ＮＬＯＳ決定を行うことができる。いくつかの実施形態で、ＭＳ１２０は、信号強度が適当である場合に、ＮＬＯＳ測定を獲得／測定／使用することを選択することもでき、マルチパス／ＦＬＣマップ上で示され得る、前記ロケーションで以前に観察されたバイアスに従って、ＮＬＯＳ測定値にバイアス補正を適用することができる。
【００９５】
[00111]ＭＳ１２０が、静的であり、および／または第１の「コールド」フィックスを獲得しつつある情況では、ＭＳ１２０は、推定されたＭＳロケーションで最後に見られた測定値に基づいて、信号を獲得／測定することを試みることができる。いくつかの実施形態では、ＭＳ１２０は、推定されたＭＳロケーションで最後に見られた信号のその測定値に基づいて、電力を消費し、追加の信号を獲得／測定すべきかどうかを決定することができる。たとえば、ＭＳ１２０による測定が、モバイルがまだ静的であるか、遠くに移動した可能性が低いことの高い確率を示す場合に、モバイルは、次いで、デバイスがその後に移動した可能性が低いことを確認するのに必要な追加信号だけを獲得／測定するのに必要な電力を消費することができる。この戦術は、たとえば、ユーザが、デバイスをポケットに入れて持ち運んでいるが、ある部屋の中に留まるか、相対的に固定されたポジションに座っている時に、使用した得る。
【００９６】
[00112]一般に、先験的ポジション推定値を使用する時に、ＭＳは、（ｉ）可視性マップレイヤからの期待される可視性、または（ｉｉ）ＭＳ１２０の先験的ロケーションに基づいて信号を検索するための順方向リンク較正情報からの期待される正確さのうちの１つまたは複数を使用することができる。さらに、先験的ＭＳポジション推定値は、次のタイプの先験的ポジションすなわち、（ｉ）最近に推定されたＭＳロケーションのヒストリカルレコード、（ｉｉ）いくつかの場合に最近に観察された信号強度によってスケーリングされ得る、境界を示すカバレージエリア情報を表す１つまたは複数のアルマナックエントリの送信機ＩＤとの関連付け、（ｉｉｉ）１つまたは複数のＧＮＳＳまたはハイブリッドＧＮＳＳ／地上／センサフィックス、および／または（ｉｖ）たとえば「雑音が多い対静か」、「静的対動的」、「新しい環境対既知の環境」、その他、１つまたは複数のワイヤレスＬＡＮアクセスポイント（ＡＰ）からの信号との関連付けおよび／またはその可視性（またはその欠如）に基づいて、ＭＳ１２０によって決定され得る、「屋内対屋外」などの文脈的手がかりのうちの１つまたは複数に基づいて推定され得る。
【００９７】
[00113]たとえば、モバイルの環境内の雑音のレベル、タイプ、またはシグネチャは、モバイルがその中にある可能性が高い環境タイプまたは特定の環境を決定するのに使用され得る。たとえば、移動しつつある自動車は、静的である（すなわち、移動していない）時とは異なる、ある種の交通雑音およびエンジン騒音を有する。デバイスは、これらの雑音から、デバイスが、ある速度で移動しつつあるおよび／またはあるレートで加速しつつある車両内にあることを推論することができる。しかしながら、交通雑音は、異なる道路表面上で実質的に異なる可能性がある。これらの交通雑音の変動は、マッピングされ、モバイルデバイスに供給され得る。たとえば、道床内の一連の突起またはテクスチャが、ある距離で間隔を設けられ、車両がそれらの上を通過する時に、異なるシグネチャが形成され得るようになっている場合がある。サウンドと以前にマッピングされたデータとの受信と相関とから、デバイスは、ポジションを、および速度をも、推論できる場合がある。同様に、任意の所与の環境内の通常の雑音は、分類され、マップ内で提供され得る。たとえば、「強風」、「ファン」、「動作中の冷蔵庫またはコンプレッサ」、「食器洗い器」、「スピーカ」（カーステレオ、テレビジョンなど）、「流水」、「砕ける波」、「エコーの大きさ、遅延、および／または広がり」である。任意の所与の環境内の顕著なサウンドの周波数、大きさ、周期性、もしくは他の特徴づけ、またはサウンドの短いクリップ自体が、デバイスがそれ自体の受け取られたサウンドをそれ自体に相関させることができるように、提供され得る。時刻、曜日、１年のうちの日付、気象パターン（降水量、気温、風速）などの要因の関数としてのサウンドのシグネチャも、提供され得る。たとえば、寒い日に、ならびに、ユーザが夜間に構造物内の温度が下がることを可能にするプログラマブルサーモスタットを有しないばらば早朝に、暖房炉のファンがオンにされる可能性がより高い場合がある。したがって、携帯電話機を用いて正確な気温を測定することがむずかしい可能性があるが、所与の環境内の既知の気象パターンから、ありそうなサウンドを推論することが可能である可能性がある。
【００９８】
[00114]一実施形態では、デバイスは、それらが静的（移動していないデバイスを暗示する）である時と動的である時とで異なって測定値を観察する可能性がある。その場合に、たとえば、いくつかのデバイスは、静的であるかどうかを決定し、したがって電力を節約するために測位測定レートをオフに切り替えるか低下させるために、加速度計を使用することができる。したがって、測定がバックグラウンドで行われる場合に、デバイスがたまたま測位サービスを使用しつつある時に、デバイスが静的である間には、受け取られる多数の測定値がない可能性がある。しかしながら、静的である間にとられる測定値は、動的である間にとられる測定値より強くマルチパスによってバイアスされる可能性が高く、したがって、デバイスポジションのバラエティにまたがって、受け取られた信号の平均がとられる。通常の屋内環境では、うるささおよび測定のバイアス挙動が、非常に異なる可能性があり、したがって、静的である間にとられた測定値と動的である間にとられた測定値との間で区別することが、重要である。これらの相違は、異なるマップレイヤ内で、または所与の環境内での静的と動的との間の差の注釈として、実施され得る。さらに、これらの相違は、デバイスの速さまたは速度の関数として提供され得る。
【００９９】
[00115]さらなる実施形態では、デバイスが「新しい」環境内にある時に、そのデバイスは、「既知の」環境内にある時とは異なる機能を実行することを選択することができる。環境は、デバイスが前にそこにあったことがあり、その環境に関する情報を収集したことがある場合には「既知」である可能性があり、あるいは、ＭＳ１２０がネットワークまたは異なるユーザによって提供される環境のマップを有するので、環境が既知である場合がある。環境に関する異なるレベルの「知識」がある。市街地図、構造的「３Ｄ」マップ、フロアプラン、信号遅延、信号強度、信号減衰、または本明細書で説明される他の文脈的手がかりのいずれかの範囲にわたる、様々な異なるレベルまたはレイヤ上で、環境が知られる可能性がある。デバイスが、望ましいマップレイヤが使用可能ではないことを検出する時には、そのデバイスは、「新しい」環境内にあると考えられ得、したがって、所望の特徴づけデータを収集することを選択することができる。デバイスが既知の環境内にある時には、そのデバイスは、それによる使用のために特定のマップレイヤのリストをネットワークに要求することを選択することができ、ＩＤＦ  ０９２９２１に記載されているように、必要と期待される利益とに基づいて、これらのレイヤのうちの１つまたは複数をダウンロードすることを選択することもできる。
【０１００】
[00116]ＭＳ１２０は、先験的測定値不確実性を決定し、ナビゲーション解決策で任意の測定値に重みを付けるために較正マップレイヤを使用することができ、測定値は、タイミングベースまたは信号強度ベースとされ得る。
【０１０１】
[00117]下の表１は、上で議論された例示的なマルチパス情報と可視性情報との通常の特性を要約するものである。表１に示されているように、見通し線条件が、あるアンテナに関して存在する場合に、信号減衰は、通常は弱く、ＬｏＳ領域内のＦＬＣ値の空間変動性は、低く、ＦＬＣ値は、通常はミュートスロットによって影響されない。短シャドウ領域内のＭＳ１２０について、信号減衰は、中程であり、誘導されるマルチパス効果は、信号に完全な１チップ未満の遅延を引き起こし、信号の空間変動性は、高く、ＦＬＣ値は、通常はミュートスロットによって影響されない。長シャドウ領域内のＭＳ１２０について、信号減衰は、強く、誘導されるマルチパス効果は、信号に完全な１チップを超える遅延を引き起こし、信号の空間変動性は、低く、ＦＬＣ値は、通常はミュートスロットによって影響されない。
【表１】
0006042568.tif 000002
【０１０２】
[00118]ボディブロッケージがモバイルとセルアンテナとの間で発生する場合には、信号減衰が強くなる可能性があり、マルチパスが変化する可能性があり、空間変動性は、高く、ボディブロッケージが発生する場所に敏感である可能性がある。さらに、強度も、マルチパスマップおよび可視性マップ内のＦＬＣ値に時間変化する要因を追加し得る、所与のミュートスロット内にたまたま送信している最強の干渉するセル（たとえば、ＬＴＥ  ＰＲＳについて同一のＰＣＩ  ｍｏｄ  ６を有する）とモバイルとの間のボディブロッケージに依存し得る。デバイス方位、進み方、および／または姿勢が決定される情況では、各送信するアンテナへの推定された見通し線およびデバイスに対する相対的なありそうなユーザの身体のポジションなどの要因に基づいてボディブロッケージの尤度を予測することが、可能である可能性がある。次いで、これらの尤度は、受信されつつある信号の尤度を、したがってそのありそうな正確さを決定するのに使用され得る。
【０１０３】
[00119]ＭＳが、１つまたは複数のマップレイヤからの情報と一緒に先験的ポジション推定値を使用する情況では、マルチパスマップと可視性マップとにおいて、ＦＬＣ値の大きい変動性ならびにＦＬＣ値の時間依存性がある可能性がある。変動性は、先験的ポジション不確実性領域にわたるＦＬＣ値の分散に少なくとも部分的に依存する可能性がある。
【０１０４】
[00120]いくつかの実施形態では、他の様々な方法がマルチパスマップの異なるレイヤを区別するために使用され得る。たとえば、マップ全体が、相対信号強度もしくは絶対信号強度、減衰、デバイスタイプ、ボディブロッケージもしくは他の予測できないブロッケージ、ミュートパターンもしくはミュートスロット、および／または前述の文脈的手がかりなどのＭＳ１２０の現在の／推定されたポジションもしくは環境に対する相対的な他の区別する要因のうちの１つまたは複数の関数として表され得る。一般に、開示される実施形態と一貫するマップは、ＭＳ１２０によって使用される任意の測位方法に関連して使用され得る。デバイスは、測定値または手がかりについて環境をスキャンし、それが利益になる可能性が高い時に限って関連するマップレイヤ情報を要求することを選択することができ、あるいは、現在の環境のあるレンジ内のすべての関連するマップレイヤをダウンロードすることを選択することができる。デバイスは、計画されたルートまたは予測されたルートに沿ったより粗な粒度のマップをダウンロードし、デバイスがより微細なマップレイヤから利益を得る可能性がより高い時に限ってより微細な粒度のマップ情報をダウンロードすることを選択することもできる。ダウンロードするプロセスは、所与の環境内での通信リソースの可用性を考慮に入れるように計画され得る。たとえば、デバイスは、より高いコストのリソースが必要になる可能性がある時よりも、より低いコストの通信リソースの付近にいる間により多くのマップデータをダウンロードすることを選択することができる。あるいは、デバイスは、そのデバイスがより低い通信リソース可用性を有するエリアに入る可能性が高い時に、より多くのマップデータをダウンロードすることを選択することができる。また、デバイスは、エリア内にたやすく使用可能な通信リソースがある場合に、悪いまたは高価な通信リソースを有する環境について、そうでない場合にダウンロードするはずのものより微細な粒度の情報をダウンロードすることができる。たとえば、ユーザは、そのユーザがモバイルデータサービスを有しない国の空港に到着した後に、あるルートを移動することを計画する場合がある。デバイスは、ユーザが可用性の高い通信カバレージエリアを去る前に、計画されたルートをカバーするのに必要なマップ情報をダウンロードすることができる。次いで、通信カバレージエリアは、可用性情報とコスト情報とを含む、本明細書で説明されるマップに対するさらなるレイヤとされ得る。
【０１０５】
[00121]観察された絶対信号強度、観察された相対信号強度、観察された長いマルチパス、観察された長いマルチパス、観察されたボディブロッケージ、見通し線の尤度、長いマルチパスの尤度、短いマルチパスの尤度、観察された可視性、関連するコスト情報を含み得る通信カバレージエリアなどの属性を有する複数のマップレイヤが、アシスタンスデータとしてＭＳ１２０に供給され得る。いくつかの実施形態では、マップは、少なくとも１つのレイヤ上で、見通し線信号のタイミングに対する相対的な、期待される順方向リンクタイミング誤差のバイアスと広がりとを表すことができる。いくつかの実施形態では、マップレイヤのうちの１つまたは複数は、そのマップレイヤ内の情報に対応する空間的に変動する情報を保持することができる。たとえば、ＲＳＳＩマップレイヤは、そのマップレイヤに関連するポジション粒度での空間的に変動するＲＳＳＩ情報を提供することができる。一般に、本明細書で開示される技法は、空間的に変動するＦＬＣマップおよび／またはマップレイヤに限定されるのではなく、他の信号特性を指定するのに、および／またはＦＬＣマップレイヤの使用に関連して、使用され得る。さらに、他のレイヤのＢＳＡ情報は、複数のＭＳ１２０による観察／測定に基づいて、情報をクラウドソーシングすることによっても入手され得る。
【０１０６】
[00122]いくつかの実施形態では、選択された獲得方法に基づいて、ＭＳ１２０は、ロケーションアシスタンスデータとして、関心を持たれている領域内の選択された送信機および／またはアンテナに関する関心を持たれている１つまたは複数のマップレイヤをネットワークエンティティに要求し、および／またはネットワークエンティティから受信することができる。さらに、ＭＳ１２０は、ＢＳＡデータなどの記憶されたデータとの測定値の集計のために、ネットワークエンティティに測定値フィードバックを提供することができる。
【０１０７】
[00123]より改良されたマップレイヤを選択すること、またはマップレイヤの混合を改良すること、より多くの情報がフィックスのために使用可能になるので。たとえば、ポジションと環境推定値とを改良する第１の反復の後で、デバイスが、所与の送信機への見通し線を有する可能性が９０％あることが決定される場合がある。したがって、見通し線ＦＬＣマップ内の誤差の広がりは、期待される測定誤差を決定する時に、長いマルチパスマップまたは短いマルチパスマップの誤差の広がりより大きい重みを与えられる。さらなる実施形態では、期待されるＬＯＳ信号強度は、期待される信号強度を決定する時に、より大きい重みを与えられる。期待される測定誤差および期待される信号強度は、両方とも、所与の測定値を検索すべきか否かを決定するのに使用され得る。期待される測定誤差は、ロケーション決定プロセスへのありそうな寄与を決定するのに使用され得る。期待される信号強度は、測定値可用性を決定するのに、少なくとも部分的に使用され得る。さらに、フィックスと電力使用量と類似物とに関して、デバイスが推定された測定「コスト」を決定することが、適当である場合もあり、このコストは、期待される正確さ改善に関して期待される利益に対して重み付けされ得る。
【０１０８】
[00124]図７は、接続を使用する、サーバ１５０からＭＳ１２０へのアシスタンスデータの転送とＭＳ１２０からサーバ１５０へのロケーション情報（たとえば、ＲＳＴＤ測定値）の転送とをサポートする基本的な手順の、ならびに、適用可能な場合に、データ転送全体の間に確立されたままになるＭＳ１２０とサーバ１５０との間のロケーションセッションの、メッセージフローを示す。例のために、メッセージフローは、ＬＰＰ／ＬＰＰｅ測位プロトコルメッセージとして説明されるが、望まれる場合に、他のタイプのメッセージが使用され得る（たとえば、ロケーションセッションのために使用されるプロトコルに従うＬＰＰメッセージまたは他のメッセージ）ことを理解されたい。
【０１０９】
[00125]ステップ７１０では、ＭＳ１２０のＬＰＰ／ＬＰＰｅ／アシスタンスデータ能力がサーバ１５０に知られていない場合に、いくつかの実施形態で、サーバ１５０は、ＬＰＰ／ＬＰＰｅ  Ｒｅｑｕｅｓｔ  Ｃａｐａｂｉｌｉｔｉｅｓ（能力要求）メッセージをＭＳ１２０に送ることができる。ＭＳ１２０のＬＰＰ／ＬＰＰｅ能力を要求するＲｅｑｕｅｓｔ  Ｃａｐａｂｉｌｉｔｉｅｓメッセージは、他のパラメータの中でも、ＭＳ１２０が処理できる可能性があるアシスタンスデータのタイプ／形に関する能力表示を含むことができる、ロケーションアシスタンスに関するＭＳ能力の要求を含むことができる。たとえば、Ｒｅｑｕｅｓｔ  Ｃａｐａｂｉｌｉｔｉｅｓメッセージは、ＭＳ１２０が、レイヤードマップアシスタンスデータ、空間的に変動するＦＬＣマップ／モデル、その他などのロケーションアシスタンスデータを処理できるかどうかを決定するのに使用される。
【０１１０】
[00126]ＭＳ１２０は、メッセージフローのステップ７２０でサーバ１５０に送られるＬＰＰ／ＬＰＰｅ  Ｐｒｏｖｉｄｅ  Ｃａｐａｂｉｌｉｔｉｅｓ（能力提供）メッセージを用いて応答することができる。いくつかの場合に、Ｐｒｏｖｉｄｅ  Ｃａｐａｂｉｌｉｔｉｅｓメッセージは、ステップ７１０で送られるＲｅｑｕｅｓｔ  Ｃａｐａｂｉｌｉｔｉｅｓメッセージがない場合に、ステップ７２０で要求されずにＭＳ１２０によって供給され得る。別の実施形態では、ステップ７２０のＰｒｏｖｉｄｅ  Ｃａｐａｂｉｌｉｔｉｅｓメッセージは、その代わりに、後にステップ７４０で送られるアシスタンスデータの要求に関連して、ＭＳ１２０によって送られ得る。いくつかの実施形態では、Ｐｒｏｖｉｄｅ  Ｃａｐａｂｉｌｉｔｉｅｓメッセージは、他のパラメータの中でも、レイヤードマップアシスタンスデータ、空間的に変動するＦＬＣマップ／モデル、その他を処理する能力に関する能力表示を含む、ＭＳロケーションアシスタンスデータ能力の表示を含むことができる。
【０１１１】
[00127]ステップ７１０と７２０とに類似するが、反対方向のメッセージ転送を伴うステップが、レイヤードマップアシスタンスデータ、空間的に変動するＦＬＣマップ／モデル、その他に関する能力表示を含むロケーションアシスタンス能力のサポートに関するサーバ１５０のＬＰＰ／ＬＰＰｅ能力をＭＳ１２０に転送するために、ステップ７１０と７２０との代わりにまたはステップ７１０と７２０とに加えて実行され得る。これらのステップは、図７には示されておらず、使用される場合には、逆転されたＬＰＰｅモードを利用することができ、これによって、ＭＳ１２０は、サーバ１５０に能力を要求し、サーバ１５０から能力を受信することを可能にされる。
【０１１２】
[00128]このメッセージフローのステップ７３０では、サーバ１５０は、ＬＰＰ／ＬＰＰｅ  Ｒｅｑｕｅｓｔ  Ｌｏｃａｔｉｏｎ  Ｉｎｆｏｒｍａｔｉｏｎ（ロケーション情報要求）メッセージ内で、ＭＳ１２０にロケーション情報を要求する。ロケーション情報の要求は、ＭＳ１２０によって実行されるＲＳＴＤ／ＯＴＤＯＡ測定および／または他の信号測定の要求を含むことができる。いくつかの実施形態では、要求される測定は、ＭＳ１２０の能力および／またはサーバ１５０がＢＳＡデータを更新し、および／または増補するための情報に依存するものとされ得る。
【０１１３】
[00129]いくつかの実施形態では、ＭＳ１２０は、ステップ７３０で受信された要求を満足するためにアシスタンスデータを要求することができ、ステップ７４０で、アシスタンスデータのＬＰＰ／ＬＰＰｅ要求をサーバ１５０に送ることができる。いくつかの実施形態では、ＭＳ１２０は、ＰＲＳアシスタンス情報および／またはミュート情報のうちの１つまたは複数をさらに含むことができるレイヤードマップアシスタンスデータおよび／またはＯＴＤＯＡアシスタンスデータを含むことができるロケーションアシスタンスデータなどの要求される特定のアシスタンスデータを指定することができる。いくつかの実施形態では、ステップ７４０は、発生しない可能性があり、サーバ１５０は、要求されずにロケーションアシスタンスデータをＭＳ１２０に送ると決定することができる。いくつかの実施形態では、ＭＳ１２０は、ステップ７４０で、アシスタンスデータの要求と一緒に粗な推定されたロケーションを送ることができる。
【０１１４】
[00130]このメッセージフローのステップ７５０では、サーバ１５０は、ＭＳ１２０に転送すべきアシスタンスデータを入手することができる。ステップ７４０が実行された場合には、アシスタンスデータは、サーバ１５０から使用可能である可能性があるＭＳ１２０によって要求されたアシスタンス情報のすべてを備えることができる。ステップ７５０で転送されるアシスタンスデータは、ロケーションアシスタンスデータ、レイヤードマップアシスタンスデータ、および／またはＬＰＰ／ＬＰＰｅで定義されたＯＴＤＯＡアシスタンスデータを含むことができ、他のロケーションアシスタンス情報を含むこともできる。いくつかの実施形態では、ステップ７５０でＭＳ１２０に送られるアシスタンスデータは、サーバ１５０によって入手／決定され、および／またはＭＳ１２０によって以前に送られた可能性があるＭＳ１２０の粗な推定されたロケーションに基づくものとされ得る。
【０１１５】
[00131]ＭＳ１２０は、ステップ７５０で受信されたアシスタンスデータに基づいて、基準セルと複数の隣接セルとの間のＲＳＴＤなどの信号パラメータを測定するための信号獲得方法を選択することができる。いくつかの実施形態では、ＭＳ１２０は、ＲＳＴＤを決定し、および／または上で説明された他の測定を行うために、アシスタンスデータ内に含まれる情報を利用することができる。
【０１１６】
[00132]ＭＳ１２０が、たとえばＲＳＴＤ測定値など、ステップ２３でサーバ１５０によって要求されたすべての測定値を決定した後に、ＭＳ１２０は、ステップ２６で、ＬＰＰ／ＬＰＰｅ  Ｐｒｏｖｉｄｅ  Ｌｏｃａｔｉｏｎ  Ｉｎｆｏｒｍａｔｉｏｎ（ロケーション情報提供）メッセージの中の測定値をサーバ１５０に送ることができる。ステップ２６のＬＰＰ／ＬＰＰｅ  Ｐｒｏｖｉｄｅ  Ｌｏｃａｔｉｏｎ  Ｉｎｆｏｒｍａｔｉｏｎメッセージは、それに関してＲＳＴＤおよび／または他の測定値が提供されようとしている測定されたセル／送信機／アンテナのＰｈｙｓｉｃａｌ  Ｃｅｌｌ  Ｉｄｅｎｔｉｆｉｅｒなどの識別と一緒に、ＲＳＴＤ測定値を含むことができる。
【０１１７】
[00133]いくつかの実施形態では、サーバ１５０は、ＭＳ１２０のロケーションを計算するために、そこからＭＳが測定を実行したアンテナロケーションの情報ならびにＢＳタイミング情報と一緒に、受信された測定値を使用することができる。いくつかの実施形態では、ＭＳ１２０からの測定情報は、ＢＳＡおよび／または較正データベース内の情報とともに集計され、および／またはこれを増補するのに使用され得る。サーバ１５０は、たとえば、ＭＳ１２０の計算されたロケーションをＬＣＳクライアント１６０に提供することもできる（図２には図示せず）。
【０１１８】
[00134]いくつかの実施形態では、ＭＳ１２０は、ＭＳ１２０のロケーションを計算するために、そこからＭＳが測定を実行したアンテナロケーションの情報ならびにＢＳタイミング情報と一緒に、測定値を使用することができ、ＢＳＡおよび／または較正データベース内の情報とともにＭＳ１２０から受信された測定値情報を集計し、および／またはこれを増補することができるサーバ１５０に、推定されたロケーションを報告することができる。いくつかの実施形態では、サーバ１５０は、ＭＳロケーション情報をＬＣＳクライアント１６０に提供することができる。
【０１１９】
[00135]図８は、開示される実施形態と一貫する形でＭＳ１２０からのクラウドソーシングされた測定値を使用してＢＳＡを集計し、および／または増補するための例示的な方法８００の流れ図を示す。いくつかの実施形態では、方法８００は、１つまたは複数のサーバ１５０によって実行され得る。
【０１２０】
[00136]ステップ８１０では、ＭＳ１２０の推定されたポジションに基づいて、ＭＳ１２０の推定されたポジションに関するマップデータが、入手され得る。いくつかの実施形態では、マップデータは、増加するポジションの粒度のレイヤに関連付けられ得る空間的に変動するＦＬＣ値を備えることができる。いくつかの実施形態では、マップは、ＭＳ１２０の周囲のエリア内のアンテナの、絶対信号強度と、観察された相対信号強度と、観察された長いマルチパスと、観察された短いマルチパスと、観察されたボディブロッケージと、見通し線の尤度と、長いマルチパスの尤度と、短いマルチパスの尤度と、観察された可視性と、タイミング／ミュートパターン情報とに関する情報および／またはレイヤを備えることができる。いくつかの実施形態では、マップは、少なくとも１つのレイヤ上で、見通し線信号のタイミングに対する相対的な、期待される順方向リンクタイミング誤差のバイアスと広がりとを表すことができる。
【０１２１】
[00137]ステップ８２０では、いくつかの実施形態で、マップレイヤのうちの１つまたは複数が、ＭＳ１２０の能力および／またはＭＳ１２０によって要求された情報および／またはサーバ１５０から使用可能な情報に部分的に基づいて、ＭＳ１２０に送られ得る。いくつかの実施形態では、マップレイヤは、空間的に変動するＦＬＣ値および／またはＯＴＤＯＡアシスタンスデータを備えることができる。
【０１２２】
[00138]ステップ８３０では、ＭＳ１２０のロケーションに関する更新された測定値を受信することができる。たとえば、ＭＳ１２０は、ステップ８２０でサーバによって送られたアシスタンスデータに基づいて信号獲得方法を選択することができ、信号測定を実行することができる。さらに、ＭＳ１２０は、そのポジションとポジション不確実性とを入手するために、空間的に変動するＦＬＣデータと、更新された信号測定値と、マップレイヤアシスタンスデータとを使用することができる。いくつかの実施形態では、更新された測定値、ポジション推定値、およびポジション不確実性は、ステップ８３０で受信され得る。
【０１２３】
[00139]ステップ８４０では、更新された測定値、ポジション推定値、およびポジション不確実性が、ＢＳＡデータを更新するのに使用される。いくつかの実施形態では、ＢＳＡ内の情報は、ＭＳ１２０のポジション（およびポジション不確実性）と相関され得る。いくつかの実施形態では、ポジションとのＭＳ１２０による測定セットの相関および集計は、ポジション不確実性に少なくとも部分的に基づいて、様々なレベルのポジション粒度で行われ得る。たとえば、ある測定ロケーションでのＭＳ１２０による単一の測定セットは、微細な粒度（ポジション不確実性に基づいて決定され得る）からますますより粗なポジション粒度へのポジション粒度の階層に関連付けられ得る。いくつかの実施形態では、測定セットに関連するポジション（異なる粒度で指定され得る）の階層の各々は、別個のマップレイヤに対応することができる。
【０１２４】
[00140]図９は、開示される実施形態と一貫する形で粒子フィルタを使用してＭＳ１２０のポジションとポジション不確実性とを推定するための方法９００の流れ図を示す。一般に、ＭＳ１２０またはネットワーク１３０上の別のＰＤＥは、受信されたロケーションアシスタンス情報と測定値とに基づいてそのポジションを決定するのに、様々なベイズフィルタリング技法を使用することができる。たとえば、カルマンフィルタ、粒子フィルタ、および／または反復技法が、測定セットとロケーションアシスタンス情報とに基づいてＭＳ１２０のポジションを決定するのに、ＭＳ１２０および／またはＰＤＥによって使用され得る。粒子フィルタという用語は、モンテカルロベースの統計信号処理の再帰実施態様を指すのに使用される。
【０１２５】
[00141]いくつかの実施形態では、方法９００は、ＭＳ１２０によって実行され得る。いくつかの実施形態では、ＭＳ１２０の推定されたポジションとポジション推定の不確実性とを含み得る方法９００の結果は、ＢＳＡサーバを備えることができるサーバ１５０に送られ得る。いくつかの実施形態では、ＢＳＡサーバ１５０は、１つもしくは複数のマルチパスマップもしくは可視性マップを更新し、および／またはクラウドソーシングもされ得る他のデータとともにＭＳ１２０によって供給された結果の情報を集計することができる。前記ＢＳＡサーバが、１つまたは複数のマップサーバと同一位置に配置され得ることに留意されたい。それぞれのマップレイヤのすべてが、好ましくは同一のまたはたやすく関連付け可能な座標系に含まれ、その整列の度合は、正しく注記され、マップとともに提供される。さらに、マップの精度の推定値（たとえば、他のマップ構成要素に対する相対的なローカルな正確さ）が、提供され得る。マップ方位の推定値および方位の正確さが、提供され得る。マップまたはＷＧＳ−８４などのグローバル座標系のより上のより粗なレベルへのポジション登録の正確さの推定値も、提供され得る。そのような登録は、測量標識または他のたやすく可視のランドマークなどの既知のベンチマークロケーションに対して相対的に提供され得る。
【０１２６】
[00142]ステップ９０５では、測定セットが入手され得る。たとえば、一例では、測定セットは、ＭＳ１２０内のＰＤＭまたはＰＥによって受信され得る。いくつかの実施形態では、測定セットは、ＭＳ１２０によって行われた測定に基づくものとされ得る。
【０１２７】
[00143]いくつかの実施形態では、ステップ９１０で、マップが、ＭＳ１２０の現在のまたは将来のロケーションを備えるエリアについて入手可能であるかどうかの決定が行われ得る。いくつかの実施形態では、ＭＳ１２０のロケーションは、初期ポジション推定値（たとえば、サービングセルｉｄの重心）または最近の先験的ポジション推定値などに基づいて推定され得、マップ（たとえば、マルチパスマップ）が推定されたポジションについて入手可能であるかどうかの決定は、ポジション推定値に部分的に基づくものとされ得る。たとえば、ＭＳ１２０の初期ポジション推定値は、マルチパス／可視性マップがそのロケーションについてまたは計画されたもしくはありそうなルートに沿って入手可能であるかどうかを決定するのに使用され得る。いくつかの実施形態では、マップは、レイヤードマップの形をとることができる。
【０１２８】
[00144]マルチパス／可視性マップが使用可能である（ステップ９２０の「Ｙｅｓ）場合には、ステップ９２０で、粒子セットが展開され得、各粒子は、ＭＳ１２０の潜在的なまたはありそうなポジションに関する仮説を表す。粒子セットの展開は、最後のフィルタ更新以降に経過した時間の長さ、最後の既知の速さもしくは速度、または最後の既知の環境などの要因に関するものとされ得る。マルチパス／可視性マップがローカルに入手可能ではない（ステップ９２０の「Ｎｏ」）場合には、ステップ９１５で、マップが、ステップ３２０での粒子セットの展開の前に、獲得され得る（たとえば、ローカルストレージ、ＢＳＡサーバ、および／または別のネットワークエンティティから）。状態ベクトルの各サンプルは、粒子と呼ばれ、粒子フィルタは、測定セットに基づいて経時的なポジションなどの未知の変数を推定することによって、システムの状態を追跡する。たとえば、システムの状態は、ＭＳ１２０のポジション、速度、その他のうちの１つまたは複数を含むことができ、測定セットに基づいて推定され得る。いくつかの実施形態では、マップは、レイヤードマルチパスマップおよび／またはレイヤード可視性マップの形をとることができる。
【０１２９】
[00145]ステップ９２５では、測定値不確実性が、推定され得、各粒子に合わせて調整された較正が、粒子ポジションとその特定の地理的ロケーションのＦＬＣ情報とに少なくとも部分的に基づいて適用され得る。
【０１３０】
[00146]次に、ステップ９３０で、粒子尤度が推定され得る。たとえば、確率密度関数（ｐｄｆ）が、特定のポジションで期待されるはずのものとの観察された測定値の一致に基づいて、粒子尤度を推定するのに使用され得る。この一致は、観察されたレンジ測定値および／もしくは信号強度から予測されたレンジ測定値および／もしくは信号強度を引いたものの比較の形とされ得、あるいは、文脈的手がかりなどの他の要因を考慮に入れることができる。たとえば、文脈的手がかりが、大量の雑音が期待されるはずの時に、ユーザが静かなロケーションにいるという事実を指す場合には、粒子尤度は、下げられ得る。
【０１３１】
[00147]ステップ９３５では、非常にありそうにない粒子が、たとえばその尤度をあるしきい尤度と比較することによって枝刈りされ得る。たとえば、ＭＳ１２０が明瞭な見通し線を有する都市部の道路を移動する時には、ＭＳが、速度を落としたか上げた可能性があることがあり得る。交差点で曲がることも可能である。また、ユーザが、彼の車を駐車し、デバイスを低動的／歩行者モードにしたことが、可能である。そのようなモードでは、デバイスが、ビルディングに入るか、都市部の道路に沿って歩くことの尤度がある。これらの確率の各々は、追跡され得、所与の粒子の尤度は、それが過去の情報と現在受信されている／新しい情報とにどれほどよくあてはまるのかに基づいて割り当てられ得る。新しい情報がよくは一致しない場合には、粒子は、考慮から除去され得る。
【０１３２】
[00148]ステップ９４０では、ポジションおよび不確実性推定値が、報告され得る。いくつかの実施形態では、ＰＤＭまたはＰＥは、ポジションおよび不確実性推定値をＭＳ１２０上の呼出し元アプリケーション（たとえば、ナビゲーションアプリケーション）に報告することができる。いくつかの実施形態では、測定セットならびに／またはポジションおよびポジション不確実性推定値は、ＭＳ１２０によって供給された測定値とポジションと不確実性推定値とを記憶された測定値とともに集計し、更新された集計されたデータに基づいて１つまたは複数のマップを更新することができる、ＢＳＡサーバなどのサーバにも報告され得る。
【０１３３】
[00149]図１０は、開示される実施形態と一貫する形で反復フィルタを使用してＭＳ１２０のポジションとポジション不確実性とを推定するためのもう１つの方法１０００の流れ図を示す。いくつかの実施形態では、方法１０００は、ＭＳ１２０によって実行され得る。
【０１３４】
[00150]いくつかの実施形態では、ＭＳ１２０の推定されたポジションとポジション推定値不確実性とを含むことができる方法１０００の結果は、ＢＳＡサーバとされ得るサーバ１５０に送られ得る。いくつかの実施形態では、ＢＳＡサーバは、１つもしくは複数のマルチパスマップもしくは可視性マップを更新し、クラウドソーシングされ得る他のデータとともにＭＳ１２０によって供給された結果の情報を集計することができる。
【０１３５】
[00151]ステップ１００５では、測定セットが受信され得る。たとえば、一例では、測定セットは、ＭＳ１２０内のＰＤＭまたはＰＥによって受信され得る。いくつかの実施形態では、測定セットは、ＭＳ１２０によって行われた測定に基づくものとされ得る。
【０１３６】
[00152]いくつかの実施形態では、ステップ１０１０で、マップがＭＳ１２０の現在のロケーションを備えるエリアについて入手可能であるかどうかの決定が、行われ得る。
【０１３７】
[00153]マルチパス／可視性マップが入手可能である（ステップ１０２０の「Ｙｅｓ）場合には、ステップ１０２５で、測定値不確実性が推定され得、較正が、マルチパス／可視性マップに基づいて適用され得る。マルチパス／可視性マップがローカルに入手可能ではない（ステップ１０２０の「Ｎｏ」）場合には、ステップ１０１５で、マップが獲得され得る（たとえば、ローカルストレージ、ＢＳＡサーバ、および／または別のネットワークエンティティから）。
【０１３８】
[00154]ステップ１０２５では、測定値不確実性が推定され得、各ポジション推定値に合わせて調整された較正が、適用され得る。調整するプロセスは、ポジション推定値とそれに関連する不確実性とに基づいて、デバイスが配置されている可能性があるエリア（または体積）にわたる較正値の単純平均または加重平均をとることを含むことができる。検討されるロケーションが現在のポジション推定値から遠くなる時に離れる確率分布関数に基づいて、より多くの重みが、デバイスがある可能性がより高いロケーションに与えられ得る。重みは、ユーザが所与のロケーションにいる尤度に少なくとも部分的に基づくものともされ得る。たとえば、超高層ビルは、未開発の隣接する砂漠エリアより高い、割り当てられた確率を有することができる。激しい交通を有する道路は、人道より高い尤度を与えられ得る。また、人道は、未開発の公園より高い尤度を与えられ得る。
【０１３９】
[00155]ステップ１０３０では、ＭＳ１２０のポジションが推定され、ステップ１０３５で、収束についてチェックされ得る。ポジションが収束した（ステップ１０３５の「Ｙｅｓ」）場合には、ステップ１０４０で、ポジションおよび不確実性推定値が、報告され得る。ポジションが収束していない（ステップ１０３５の「Ｎｏ」）場合には、現在推定されているポジションが、ステップ１０３５で別の反復を開始するのに使用される。たとえば、いくつかの実施形態では、収束は、結果の推定されたパラメータの変化をしきい値と比較することと、変化の量が定義された最小値に達したか反復の最大回数が発生した後に反復プロセスを終了することとに部分的に基づいて決定され得る。
【０１４０】
[00156]いくつかの実施形態では、ＰＤＭまたはＰＥは、ポジションおよび不確実性推定値をＭＳ１２０上の呼出し元アプリケーション（たとえば、ナビゲーションアプリケーション）に報告することができる。いくつかの実施形態では、測定セットならびに／またはポジションおよびポジション不確実性推定値は、ＭＳ１２０によって供給された測定値とポジションと不確実性推定値とを記憶された測定値とともに集計し、１つまたは複数のマップを更新することができる、ＢＳＡサーバなどのサーバにも報告され得る。
【０１４１】
[00157]図１１は、ポジション決定をサポートすることを可能にされたＭＳ１２０のある種の例示的な特徴を示す概略ブロック図を示す。いくつかの実施形態で、ＭＳ１２０は、開示される実施形態と一貫する形で空間的に変動するＦＬＣ値および／またはレイヤードマップに基づいてロケーションアシスタンス情報を使用するロケーション決定をサポートすることができる。ＭＳ１２０は、たとえば、１つまたは複数の接続１１０６（たとえば、バス、信号線、ファイバ、リンクなど）を用いて非一時的コンピュータ可読媒体１１２０およびメモリ１１０４に動作可能に結合され得る、１つまたは複数の処理ユニット１１０２、メモリ１１０４、トランシーバ１１１０（たとえば、ワイヤレスネットワークインターフェース）、ならびに（適用可能な場合に）ＳＰＳ受信器１１４０を含むことができる。ある種の例の実施態様では、ＭＳ１２０のすべてまたは一部は、チップセットおよび／または類似物の形をとることができる。ＳＰＳ受信器１１４０は、１つまたは複数のＳＰＳリソースに関連する信号を受信することが可能であり得る。たとえば、トランシーバ１１１０は、１つまたは複数の種類のワイヤレス通信ネットワークにわたって１つまたは複数の信号を送信することが可能である送信機１１１２と、１つまたは複数の種類のワイヤレス通信ネットワークにわたって送信される１つまたは複数の信号を受信するための受信器１１１４とを含み得る。
【０１４２】
[00158]処理ユニット１１０２は、ハードウェアとファームウェアとソフトウェアとの組合せを使用して実装され得る。いくつかの実施形態では、処理ユニット１１０２は、空間的に変動するＦＬＣ値と、マルチパスマップアシスタンス情報、可視性マップアシスタンス情報、ＰＲＳアシスタンス情報を含むＯＴＤＯＡアシスタンス情報などのレイヤードマップ情報とを含む受信されたロケーションアシスタンスデータを処理することができるＭＳロケーションアシスタンスデータモジュール３１６を含むことができる。さらに、いくつかの実施形態では、処理ユニット１１０２は、ＭＳ１２０のポジションとポジション不確実性推定値とを決定するために、独立でまたはロケーションアシスタンスデータに関連してのいずれかでＭＳ１２０による測定値から導出された情報を使用することができるポジション決定モジュール（図示せず）をさらに備えることができる。たとえば、ＭＳロケーションアシスタンスデータモジュール１１１６は、信号獲得／測定方法を選択するために処理ユニット１１０２によって処理され得るマルチパスマップアシスタンス情報および可視性マップアシスタンス情報、ＰＲＳタイミングパターンおよび／またはミュート情報などを備えるロケーションアシスタンス情報を処理することができる。いくつかの実施形態で、処理ユニット１１０２は、直接にまたは図１１に示された１つもしくは複数の他の機能ブロックに関連してのいずれかでアシスタンス情報を含む様々な他の受信されたＬＰＰ／ＬＰＰｅメッセージを処理することができるものともされ得る。いくつかの実施形態で、処理ユニット１１０２は、ＭＳ１２０の動作に関係するデータ信号コンピューティング手順またはプロセスの少なくとも一部を実行するように構成可能な１つまたは複数の回路を表すことができる。
【０１４３】
[00159]いくつかの実施形態で、ＭＳ１２０は、内部または外部とされ得る１つまたは複数のＭＳアンテナ（図示せず）を含むことができる。ＭＳアンテナは、トランシーバ１１１０および／またはＳＰＳ受信器１１４０によって処理される信号を送信し、および／または受信するのに使用され得る。いくつかの実施形態で、ＭＳアンテナは、トランシーバ１１１０とＳＰＳ受信器１１４０とに結合され得る。いくつかの実施形態で、ＭＳ１２０によって受信された（送信された）信号の測定は、ＭＳアンテナとトランシーバ１１１０との接続の点で実行され得る。たとえば、受信された（送信された）ＲＦ信号測定の基準の測定点は、受信器１１１４（送信機１１１２）の入力（出力）端子、およびＭＳアンテナの出力（入力）端子とされ得る。複数のＭＳアンテナまたはアンテナアレイを有するＭＳ１２０では、アンテナコネクタは、複数のＭＳアンテナの集計出力（入力）を表す仮想点とみなされ得る。いくつかの実施形態で、ＭＳ１２０は、信号強度とＴＯＡ測定値とを含めて受信信号を測定することができ、生の測定値は、処理ユニット１１０２によって処理され得る。
【０１４４】
[00160]本明細書で説明される方法論は、応用例に依存して、様々な手段によって実施され得る。たとえば、これらの方法論は、ハードウェア、ファームウェア、ソフトウェア、またはその任意の組合せで実施され得る。ハードウェア実装の場合、処理ユニット１１０２は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他の電子ユニット、またはそれらの組合せの中で実装され得る。
【０１４５】
[00161]いくつかの実施形態で、処理ユニット１１０２は、環境光センサ、音響センサ、カメラおよび／またはイメージセンサ、慣性測定ユニット（ＩＭＵ）その他など、様々なセンサを含むことができる１つまたは複数のセンサ（図１１には図示せず）から入力を受け取ることもできる。３軸加速度計、３軸ジャイロスコープ、および／または磁力計を備えることができるＩＭＵは速度、方位、および／または他のポジション関連情報を処理ユニット１１０２に供給することができる。いくつかの実施形態で、ＩＭＵは、カメラによる各画像フレームの取込および／またはＭＳ１２０によって行われる他の測定と同期して、測定された情報を出力することができる。いくつかの実施形態で、ＩＭＵ  １３０の出力は、ＭＳ１２０のポジションと方位とを決定するために部分的にプロセッサ１５０によって使用され得る。
【０１４６】
[00162]ファームウェアおよび／またはソフトウェアの実施態様では、この方法論は、本明細書で説明される機能を実行するモジュール（たとえば、手続き、関数など）を用いて実施され得る。命令を有形に実施するすべての機械可読媒体が、本明細書で説明される方法論を実施する際に使用され得る。たとえば、ソフトウェアコードは、処理ユニット１１０２に接続され、これによって実行される非一時的コンピュータ可読媒体１１２０またはメモリ１１０４内に記憶され得る。メモリは、処理ユニット内または処理ユニットの外部で実施され得る。本明細書で使用される時に、「メモリ」という用語は、すべてのタイプの長期、短期、揮発性、不揮発性、または他のメモリを指し、メモリの特定のタイプ、メモリの個数、またはメモリがそれに記憶される媒体のタイプに限定されてはならない。
【０１４７】
[00163]ファームウェアおよび／またはソフトウェアで実施される場合に、機能は、媒体１１２０および／またはメモリ１１０４などの非一時的コンピュータ可読媒体上で１つまたは複数の命令またはプログラムコード１１０８として記憶され得る。例は、データ構造を符号化されたコンピュータ可読媒体と、コンピュータプログラム１１０８を符号化されたコンピュータ可読媒体とを含む。たとえば、その上に記憶されたプログラムコード１１０８を含む非一時的コンピュータ可読媒体は、開示される実施形態と一貫する形でロケーションアシスタンス情報を使用するＡＦＬＴ／ハイブリッドＡＦＬＴ／ＲＳＴＤ／ＯＴＤＯＡ測定をサポートするプログラムコード１１０８を含むことができる。非一時的コンピュータ可読媒体１１２０は、物理的なコンピュータ記憶媒体を含む。記憶媒体は、コンピュータによってアクセスされ得る任意の使用可能な媒体とされ得る。限定ではなく例として、そのような非一時的コンピュータ可読媒体は、ＲＡＭ、ＲＯＭ、ＥＥＰＲＯＭ（登録商標）、ＣＤ−ＲＯＭもしくは他の光ディスク（disk）ストレージ、磁気ディスク（disk）ストレージもしくは他の磁気ストレージデバイス、または、命令もしくはデータ構造の形で所望のプログラムコード１１０８を記憶するのに使用され得、コンピュータによってアクセスされ得る任意の他の媒体を備えることができ、ディスク（diskおよびdisc）は、本明細書で使用される時に、コンパクトディスク（disc）（ＣＤ）と、レーザーディスク（登録商標）（disc）と、光ディスク（disc）と、デジタル多用途ディスク（disc）（ＤＶＤ）と、フロッピー（登録商標）ディスク（disk）と、ブルーレイ（登録商標）ディスク（disc）とを含み、ｄｉｓｋは、通常はデータを磁気的に再生し、ｄｉｓｃは、レーザーを用いてデータを光学的に再生する。上記の組合せも、コンピュータ可読媒体の範囲内に含まれなければならない。
【０１４８】
[00164]コンピュータ可読媒体１１２０上のストレージに加えて、命令および／またはデータは、通信装置内に含まれる伝送媒体上の信号として供給され得る。たとえば、通信装置は、命令とデータとを示す信号を有するトランシーバ１１１０を含むことができる。命令およびデータは、１つまたは複数のプロセッサに、特許請求の範囲で概要を示される機能を実施させるように構成される。すなわち、通信装置は、開示した機能を実行するための情報を示す信号をもつ伝送媒体を含む。
【０１４９】
[00165]メモリ１１０４は、任意のデータストレージ機構を表すことができる。メモリ１１０４は、たとえば、一次メモリおよび／または二次メモリを含むことができる。一次メモリは、たとえば、ランダムアクセスメモリ、読取専用メモリなどを含むことができる。この例では処理ユニット１１０２とは別々であるものとして図示されるが、一次メモリのすべてまたは一部が、処理ユニット１１０２内で提供され、または他の形で処理ユニット１１０２と同一位置に配置され／これに結合され得ることを理解されたい。二次メモリは、たとえば、一次メモリと同一のもしくは類似するタイプのメモリおよび／または、たとえば、ディスク（disk）ドライブ、光ディスク（disc）ドライブ、テープドライブ、ソリッドステートメモリドライブ、その他など、１つもしくは複数のデータストレージデバイスもしくはデータストレージシステムを含むことができる。
【０１５０】
[00166]いくつかの実装形態では、二次メモリは、非一時的コンピュータ可読媒体１１２０を動作可能に受容するか、または場合によってはそれに結合するように構成され得る。したがって、いくつかの例示的な実装形態では、本明細書で提示する方法および／または装置は、少なくとも１つの処理ユニット１１０２によって実行されると、本明細書で説明する例示的な動作の全部または一部分を実行することが動作上可能になり得る、その上に記憶されたコンピュータ実施可能命令１１０８を含むことができる、コンピュータ可読媒体１１２０の形態を全体的にまたは一部とることができる。コンピュータ可読媒体１１２０は、メモリ１１０４の一部とされ得る。
【０１５１】
[00167]ここで図１２を参照すると、図１２は、ポジション決定とクラウドソーシングされる順方向リンク較正とをサポートすることを可能にされたサポートすることを可能にされたサーバ１５０を示す概略ブロック図である。いくつかの実施形態では、サーバ１５０は、開示される実施形態と一貫する形で空間的に変動するＦＬＣ値および／またはレイヤードマップに基づいてロケーションアシスタンス情報を提供することによってロケーション決定をサポートすることができる。さらに、いくつかの実施形態で、サーバ１５０は、開示される実施形態と一貫する形で１つまたは複数のＭＳ１２０によって報告される測定値と情報とに基づいてＢＳＡおよび／または構成データベースを更新することができる。いくつかの実施形態で、サーバ１５０は、たとえば、１つまたは複数の接続１２５６（たとえば、バス、信号線、ファイバ、リンクなど）を用いて動作可能に結合され得る、１つまたは複数の処理ユニット１２５２、メモリ１２５４、ストレージ１２６０、および（適用可能な場合に）通信インターフェース１２９０（たとえば、有線またはワイヤレスのネットワークインターフェース）を含むことができる。ある種の例の実施態様では、サーバ１５０のいくつかの部分が、チップセットおよび／または類似物の形をとることができる。
【０１５２】
[00168]通信インターフェース１２９０は、有線の送信および／または受信をサポートし、望まれる場合に、さらにまたはその代わりに、１つまたは複数のタイプのワイヤレス通信ネットワークを介する１つまたは複数の信号の送信と受信とをサポートすることができる、様々な有線接続とワイヤレス接続とを含むことができる。通信インターフェース１２９０は、様々な他のコンピュータおよび周辺機器との通信のためのインターフェースをも含むことができる。たとえば、一実施形態で、通信インターフェース１２９０は、ネットワークインターフェースカード、入出力カード、チップ、および／またはサーバ１５０によって実行される通信機能のうちの１つまたは複数を実施するＡＳＩＣを備えることができる。いくつかの実施形態で、通信インターフェース１２９０は、ＰＣＩ、構成されたＰＲＳ情報、および／またはネットワーク内の基地局によって使用されるタイミング情報などの様々なネットワーク構成関連情報を入手するために、ネットワーク１３０とインターフェースすることもできる。たとえば、通信インターフェース１２９０は、ＰＣＩ、構成されたＰＲＳ、タイミング、および／またはネットワーク１３０内の基地局からの他の情報を入手するために、３ＧＰＰ  ＴＳ  ３６．４５５で定義されたＬＰＰ  ａｎｎｅｘ（ＬＰＰａ）プロトコルまたはこのプロトコルの変形を利用することができる。処理ユニット１２５２は、開示される実施形態と一貫する形でロケーションアシスタンスデータを生成するために、受信された情報の一部またはすべてを使用することができる。
【０１５３】
[00169]処理ユニット１２５２は、ハードウェアとファームウェアとソフトウェアとの組合せを使用して実施され得る。いくつかの実施形態で、処理ユニット１２５２は、移動局１２０への送信のために、マルチパス情報、可視性情報、空間的に変動するＦＬＣデータ、ＰＲＳタイミング、およびミュートアシスタンス情報などとともにレイヤードマップを含むロケーションアシスタンス情報を生成することができるサーバロケーションアシスタンスデータモジュール１２６６を含むことができる。たとえば、サーバＰＲＳアシスタンスデータモジュール１２６６は、ロケーションアシスタンス情報を生成し、および／またはフォーマットすることができる。いくつかの実施形態で、サーバロケーションアシスタンスデータモジュール１２６６は、移動局１２０への送信のためにロケーションアシスタンス情報を生成することもできる。処理ユニット１２５２は、直接にまたは図１２に示された１つまたは複数の他の機能ブロックに関連してのいずれかで様々な他のＬＰＰ／ＬＰＰｅアシスタンス情報を処理できるものともされ得る。いくつかの実施形態で、処理ユニット１２５２は、Ｌｏｎｇ  Ｔｅｒｍ  Ｅｖｏｌｕｔｉｏｎ（ＬＴＥ）Ｐｏｓｉｔｉｏｎｉｎｇ  Ｐｒｏｔｏｃｏｌ（ＬＰＰ）メッセージまたはＬＰＰ  ｅｘｔｅｎｓｉｏｎｓ（ＬＰＰｅ）メッセージとしてロケーションアシスタンス情報を生成することができる。
【０１５４】
[00170]さらに、いくつかの実施形態では、処理ユニット１２５２は、ＭＳ１２０のポジションとポジション不確実性推定値とを決定するためにＭＳ１２０による測定値から入手された情報を使用することができるポジション決定モジュール（図示せず）をさらに備えることができる。
【０１５５】
[00171]いくつかの実施形態では、処理ユニット１２５２は、ＭＳ１２０による測定値を対応するポジション推定値とポジション不確実性推定値とに相関させ、１つまたは複数のＢＳＡおよび／または較正データベースを更新することができるＢＳＡ更新モジュール１２６８をも備えることができる。たとえば、ＭＳ１２０から受信された測定値について、ＢＳＡ更新モジュール１２６８は、測定値に関連するポジション推定値および／またはポジション不確実性推定値に基づいて、記憶されたＢＳＡデータとともに受信された測定値情報を集計することができる。ポジション推定値およびポジション不確実性推定値は、ＭＳ１２０によって決定され、ＭＳ１２０から受信されるか、サーバ１５０によって（たとえば、サーバ１５０上のＰＤＭ似よって）決定されるか、別のネットワークエンティティによって決定されるかのいずれかとされ得る。
【０１５６】
[00172]いくつかの実施形態で、処理ユニット１２５２は、サーバ１５０の動作に関係するデータ信号コンピューティング手順またはプロセスの少なくとも一部を実行するように構成可能な１つまたは複数の回路を表すことができる。
【０１５７】
[00173]図１３は、開示される実施形態と一貫する形でＭＳからのクラウドソーシングされた測定値を使用してＢＳＡを集計し、および／または増補するための例示的な方法１３００の流れ図を示す。いくつかの実施形態で、方法１３００は、サーバ１５０によって実行され得る。
【０１５８】
[00174]ステップ１３０５で開始した後に、ステップ１３１０では、第１の複数の移動局（ＭＳ）からのアンテナの複数の測定セットが、受信され得、各測定セットは、対応する測定ロケーション推定値と測定ロケーション不確実性推定値とに関連付けられる。いくつかの実施形態では、各測定セットに対応する測定ロケーション推定値および測定ロケーション不確実性推定値は、グローバルナビゲーションサテライトシステム（ＧＮＳＳ）信号測定値および／またはハイブリッド測定値のうちの１つまたは複数によって入手され得、ハイブリッド測定値は、ＧＮＳＳ測定値と地上信号測定値もしくはセンサベースの測定値のうちの１つもしくは複数との組合せに基づく。
【０１５９】
[00175]次に、ステップ１３２０では、アンテナの記憶された基地局アルマナック（ＢＳＡ）データが、複数の測定セットのサブセット内の各測定セットに関連する対応する測定ロケーション推定値と測定ロケーション不確実性推定値とに少なくとも部分的に基づいて、アンテナの記憶されたＢＳＡデータとともにそのサブセットを集計することによって、更新され得る。いくつかの実施形態では、アンテナの記憶されたＢＳＡデータとともに複数の測定セットのサブセットを集計することは、測定セットに関連する測定ロケーション不確実性推定値がしきい値未満である場合に、サブセットの一部として複数の測定セット内の測定セットを選択することと、ＢＳＡデータ内のロケーションへの、測定セットに対応する測定ロケーションの近接に少なくとも部分的に基づいて、サブセット内の各測定セットとＢＳＡデータ内のロケーションとの間の対応を確立することと、ＢＳＡデータ内の対応するロケーションの記憶されたＢＳＡデータとともにサブセット内の各測定セットを集計することとを備えることができる。
【０１６０】
[00176]ステップ１３３０では、複数のマップレイヤを備える少なくとも１つのマップが、入手され得、各マップレイヤは、ＢＳＡ内のロケーションを、更新されたＢＳＡデータから導出されたアンテナの空間的に変動する順方向リンク較正（ＦＬＣ）値に関連付け、ここにおいて、各空間的に変動するＦＬＣ値は、更新されたＢＳＡデータ内の対応するロケーションに関連付けられる。次いで、別の反復が、ステップ１３１０で開始され得る。いくつかの実施形態では、空間的に変動するＦＬＣ値は、入力較正データと関連する係数との曲線あてはめ、またはグリッド符号化もしくは円筒調和係数のうちの少なくとも１つに基づいて符号化され得る。いくつかの実施形態では、複数のマップレイヤのサブセットは、マップレイヤの階層を形成することができ、ここにおいて、階層内の各マップレイヤは、対応するポジション粒度を有し、そのマップレイヤに対応するポジション粒度でのＢＳＡ内のロケーションに、アンテナの空間的に変動するＦＬＣ値を関連付ける。いくつかの実施形態では、ステップ１３３０で入手される複数のマップレイヤのサブセットは、アシスタンスデータとして第２の複数の移動局に供給され得る。
【０１６１】
[00177]いくつかの実施形態では、複数のマップレイヤは、受信信号強度をマップロケーションに相関させる受信信号強度マップレイヤ、または、信号対雑音比（ＳＮＲ）をマップロケーションに相関させるＳＮＲマップレイヤ、または、見通し線（ＬＯＳ）条件が１つもしくは複数のアンテナに関して可能性が高いマップロケーションを示すＬＯＳマップレイヤ、または、ＮＬＯＳ条件もしくはボディブロックド条件が１つまたは複数のアンテナに関して可能性が高いマップロケーションを示す非見通し線マップレイヤのうちの少なくとも１つを備える。
【０１６２】
[00178]いくつかの実施形態では、複数のマップレイヤは、ＢＳＡ内のロケーションについてアンテナのマルチパスの範囲の表示を提供するために、少なくとも１つのマルチパスレイヤを備えることができる。さらに、少なくとも１つのマルチパスレイヤは、除外ゾーン、マルチパスの大きさの表示、および／または長シャドウ領域内のアンテナの信号減衰レベルを備える、アンテナの長シャドウ領域を示すための長シャドウレイヤ、または、短シャドウ領域内のアンテナ信号のタイミング粒度情報を含む、アンテナの短シャドウ領域を示すための短シャドウレイヤ、または、アンテナの少なくとも１つのカバレージエリア内の一意の送信パターンを示すための送信するパターンレイヤのうちの少なくとも１つを備えることができる。
【０１６３】
[00179]図１４は、開示される実施形態と一貫する形でＭＳからクラウドソーシングされた測定値を入手するための例示的な方法１４００の流れ図を示す。いくつかの実施形態では、方法１４００は、ＭＳ１２０によって実行され得る。
【０１６４】
[00180]ステップ１４０５で開始した後に、ステップ１４１０では、複数のマップレイヤを有するマップを備えるロケーションアシスタンスデータが、ＭＳによって入手され得、ここにおいて、各マップレイヤは、基地局アルマナック（ＢＳＡ）内のロケーションをアンテナの空間的に変動する順方向リンク較正（ＦＬＣ）値に関連付ける。いくつかの実施形態では、ロケーションアシスタンスデータは、ＭＳのポジションのロケーション推定値とロケーション不確実性推定値とに基づいて、少なくとも１つのマップレイヤをネットワークエンティティに要求することによって入手され得る。
【０１６５】
[00181]次に、ステップ１４２０では、ロケーションアシスタンスデータに基づいて、アンテナの信号測定値を備える測定セットを入手するために、測定が実行され得、ここにおいて、ロケーションアシスタンスデータ内の少なくとも１つの空間的に変動するＦＬＣ値を備える較正が、測定セット内の少なくとも１つの測定値に適用される。いくつかの実施形態では、測定セットを入手するために測定を実行することは、少なくとも１つのマップレイヤ内で指定される期待される正確さとＭＳの先験的ロケーション推定値とに基づいて信号獲得方法を選択することを備えることができる。いくつかの実施形態では、ＭＳの先験的ロケーション推定値は、ＭＳの最近のロケーション、または、アンテナの受信信号強度情報を備える、ＢＳＡ内のアンテナの境界を示すカバレージエリア情報、グローバルナビゲーションサテライトシステム（ＧＮＳＳ）ポジションフィックス、または、ＧＮＳＳ測位ソースと地上送信機もしくはセンサのうちの１つもしくは複数を備える非ＧＮＳＳ測位ソースとの組合せから入手されたハイブリッドポジションフィックス、または、ＭＳの以前に計算されたロケーションのうちの少なくとも１つに少なくとも部分的に基づいて決定され得る。
【０１６６】
[00182]ステップ１４３０では、測定セットが、ＢＳＡサーバに送られ得、別の反復が、ステップ１４１０で開始され得る。いくつかの実施形態では、この方法は、測定セットに較正を適用することによって、ＭＳの改良されたロケーションと改良されたロケーション不確実性とを計算することをさらに備えることができ、ここにおいて、較正に使用される少なくとも１つの空間的に変動するＦＬＣ値は、先験的ポジション推定値のＦＬＣ値に対応する。さらに、いくつかの実施形態では、ＭＳは、ＭＳの改良されたロケーションと改良されたロケーション不確実性とに基づいて、ロケーションアシスタンスデータとして少なくとも１つの追加のマップレイヤを要求することができ、追加のマップレイヤは、改良されたロケーションと改良されたロケーション不確実性とに対応する粒度で情報を提供することができる。
【０１６７】
[00183]本明細書で開示される実施形態は、第１の複数の移動局（ＭＳ）からアンテナの複数の測定セットを受信することと、ここにおいて、各測定セットは、対応する測定ロケーション推定値と測定ロケーション不確実性推定値とに関連し、サブセット内の各測定セットに関連する対応する測定ロケーション推定値と測定ロケーション不確実性推定値とに少なくとも部分的に基づいて、アンテナの記憶されたＢＳＡデータとともに複数の測定セットのサブセットを集計することによって、アンテナの記憶された基地局アルマナック（ＢＳＡ）データを更新することと、複数のマップレイヤを備える少なくとも１つのマップを入手することと、各マップレイヤは、ＢＳＡ内のロケーションを、更新されたＢＳＡデータから導出されたアンテナの空間的に変動する順方向リンク較正（ＦＬＣ）値に関連付け、ここにおいて、各空間的に変動するＦＬＣ値は、更新されたＢＳＡデータ内の対応するロケーションに関連付けられる、を備える方法に関する。いくつかの実施形態では、この方法は、複数のマップレイヤのサブセットをアシスタンスデータとして第２の複数の移動局に提供することをさらに備えることができる。いくつかの実施形態では、各測定セットに対応する測定ロケーションおよび測定ロケーション不確実性推定値は、グローバルナビゲーションサテライトシステム（ＧＮＳＳ）信号測定値またはＧＮＳＳ測定値と地上信号測定値もしくはセンサベースの測定値のうちの１つもしくは複数との組合せに基づくハイブリッド測定値のうちの１つまたは複数によって入手され得る。
【０１６８】
[00184]いくつかの実施形態では、複数のマップレイヤのサブセットは、マップレイヤの階層を形成することができ、ここにおいて、階層内の各マップレイヤは、対応するポジション粒度を有し、そのマップレイヤに対応するポジション粒度でのＢＳＡ内のロケーションに、アンテナの空間的に変動するＦＬＣ値を関連付ける。さらに、複数のマップレイヤは、受信信号強度をマップロケーションに相関させる受信信号強度マップレイヤ、信号対雑音比（ＳＮＲ）をマップロケーションに相関させるＳＮＲマップレイヤ、見通し線（ＬＯＳ）条件の可能性が１つまたは複数のアンテナに関して高いマップロケーションを示す見通し線（ＬＯＳ）マップレイヤ、または、ＮＬＯＳ条件もしくはボディブロックド条件が１つもしくは複数のアンテナに関して可能性が高いマップロケーションを示す非見通し線マップレイヤのうちの少なくとも１つを備えることができる。さらに、複数のマップレイヤは、ＢＳＡ内のロケーションに関するアンテナのマルチパスの範囲の表示を提供するための少なくとも１つのマルチパスレイヤを備えることができ、ここにおいて、少なくとも１つのマルチパスレイヤは、除外ゾーン、マルチパスの大きさの表示、および／もしくは長シャドウ領域内のアンテナの信号減衰レベルを備える、アンテナの長シャドウ領域を示すための長シャドウレイヤ、または短シャドウ領域内のアンテナ信号のタイミング粒度情報を備える、アンテナの短シャドウ領域を示すための短シャドウレイヤ、またはアンテナの少なくとも１つのカバレージエリア内の一意の送信パターンを示すための送信するパターンレイヤのうちの少なくとも１つをさらに備える。
【０１６９】
[00185]上記方法のいくつかの実施形態では、アンテナの記憶されたＢＳＡデータとともに複数の測定セットのサブセットを集計することは、測定セットに関連する測定ロケーション不確実性推定値がしきい値未満である場合に、サブセットの一部として複数の測定セット内の測定セットを選択することと、ＢＳＡデータ内のロケーションへの、測定セットに対応する測定ロケーションの近接に少なくとも部分的に基づいて、サブセット内の各測定セットとＢＳＡデータ内のロケーションとの間の対応を確立することと、ＢＳＡデータ内の対応するロケーションの記憶されたＢＳＡデータとともにサブセット内の各測定セットを集計することとを備えることができる。
【０１７０】
[00186]いくつかの実施形態では、空間的に変動するＦＬＣ値は、入力較正データと関連する係数との曲線あてはめ、またはグリッド符号化もしくは円筒調和係数のうちの少なくとも１つに基づいて符号化され得る。
【０１７１】
[00187]開示される実施形態は、メモリと、メモリは、アンテナの基地局アルマナック（ＢＳＡ）データを記憶するための、通信インターフェースと、通信インターフェースは、第１の複数の移動局からアンテナの複数の測定セットを受信し、ここにおいて、各測定セットは、対応する測定ロケーション推定値と測定ロケーション不確実性推定値とに関連付けられ、メモリと通信インターフェースとに結合されたプロセッサと、ここにおいて、プロセッサは、受信された複数の測定セットのサブセット内の各測定セットに関連する対応する測定ロケーション推定値と測定ロケーション不確実性推定値とに少なくとも部分的に基づいて、アンテナの以前に記憶された基地局アルマナック（ＢＳＡ）データとともにサブセットを集計することによって、メモリ内のアンテナのＢＳＡを更新し、複数のマップレイヤを備える少なくとも１つのマップを入手し、各マップレイヤは、ＢＳＡ内のロケーションを、更新されたＢＳＡデータから導出されたアンテナの空間的に変動する順方向リンク較正（ＦＬＣ）値に関連付け、ここにおいて、各空間的に変動するＦＬＣ値は、更新されたＢＳＡデータ内の対応するロケーションに関連付けられるように構成される、を備えるサーバにも関する。いくつかの実施形態では、プロセッサは、複数のマップレイヤのサブセットをアシスタンスデータとして第２の複数の移動局に提供するようにさらに構成され得る。
【０１７２】
[00188]いくつかの実施形態では、アンテナの記憶されたＢＳＡデータとともに複数の測定セットのサブセットを集計することは、測定セットに関連する測定ロケーション不確実性推定値がしきい値未満である場合に、サブセットの一部として複数の測定セット内の測定セットを選択することと、ＢＳＡデータ内のロケーションへの、測定セットに対応する測定ロケーションの近接に少なくとも部分的に基づいて、サブセット内の各測定セットとＢＳＡデータ内のロケーションとの間の対応を確立することと、ＢＳＡデータ内の対応するロケーションの記憶されたＢＳＡデータとともに各測定セットを集計することとを備えることができる。いくつかの実施形態では、複数のマップレイヤのサブセットは、マップレイヤの階層を形成することができ、ここにおいて、各マップレイヤは、対応するポジション粒度を有し、そのマップレイヤに対応するポジション粒度でのＢＳＡ内のロケーションに、アンテナの空間的に変動するＦＬＣ値を関連付ける。
【０１７３】
[00189]開示される実施形態は、アンテナの基地局アルマナック（ＢＳＡ）を記憶するための記憶手段と、第１の複数の移動局（ＭＳ）からアンテナの複数の測定セットを受信するための手段を備える通信インターフェース手段と、ここにおいて、各測定セットは、対応する測定ロケーション推定値と測定ロケーション不確実性推定値とに関連付けられ、アンテナの記憶されたＢＳＡデータを更新するための手段と、更新するための手段は、受信された複数の測定セットのサブセット内の各測定セットに関連する対応する測定ロケーション推定値と測定ロケーション不確実性推定値とに少なくとも部分的に基づいて、アンテナの記憶された基地局アルマナック（ＢＳＡ）データとともにサブセットを集計するための手段をさらに備え、更新されたＢＳＡデータから導出されたアンテナの空間的に変動する順方向リンク較正（ＦＬＣ）値を入手するための手段と、ここにおいて、各空間的に変動するＦＬＣ値は、ＢＳＡデータ内の対応するロケーションに関連付けられる、を備えるサーバにも関する。いくつかの実施形態では、通信インターフェースは、複数のマップレイヤのサブセットをアシスタンスデータとして第２の複数の移動局にさらに提供することができる。
【０１７４】
[00190]いくつかの実施形態では、アンテナの記憶されたＢＳＡデータとともに複数の測定セットのサブセットを集計するための手段は、測定セットに関連する測定ロケーション不確実性推定値がしきい値未満である場合に、サブセットの一部として複数の測定セット内の測定セットを選択するための手段と、ＢＳＡデータ内のロケーションへの、測定セットに対応する測定ロケーションの近接に少なくとも部分的に基づいて、サブセット内の各測定セットとＢＳＡデータ内のロケーションとの間の対応を確立するための手段と、ＢＳＡデータ内の対応するロケーションの記憶されたＢＳＡデータとともに各測定セットを集計するための手段とをさらに備える。
【０１７５】
[00191]さらに、開示される実施形態は、プロセッサによって実行される時に、第１の複数の移動局（ＭＳ）からアンテナの複数の測定セットを受信することと、ここにおいて、各測定セットは、対応する測定ロケーション推定値と測定ロケーション不確実性推定値とに関連し、サブセット内の各測定セットに関連する対応する測定ロケーション推定値と測定ロケーション不確実性推定値とに少なくとも部分的に基づいて、アンテナの記憶されたＢＳＡデータとともに複数の測定セットのサブセットを集計することによって、アンテナの記憶された基地局アルマナック（ＢＳＡ）データを更新することと、複数のマップレイヤを備える少なくとも１つのマップを入手することと、各マップレイヤは、ＢＳＡ内のロケーションを、更新されたＢＳＡデータから導出されたアンテナの空間的に変動する順方向リンク較正（ＦＬＣ）値に関連付け、ここにおいて、各空間的に変動するＦＬＣ値は、更新されたＢＳＡデータ内の対応するロケーションに関連付けられる、を備える方法内のステップを実行する命令を備えるコンピュータ可読媒体にも関する。いくつかの実施形態では、このコンピュータ可読媒体は、複数のマップレイヤのサブセットをアシスタンスデータとして第２の複数の移動局に提供することをさらに備えることができる。
【０１７６】
[00192]いくつかの実施形態では、このコンピュータ可読媒体は、アンテナの記憶されたＢＳＡデータとともに複数の測定セットのサブセットを集計するための命令をさらに備えることができるは、測定セットに関連する測定ロケーション不確実性推定値がしきい値未満である場合に、サブセットの一部として複数の測定セット内の測定セットを選択することと、ＢＳＡデータ内のロケーションへの、測定セットに対応する測定ロケーションの近接に少なくとも部分的に基づいて、サブセット内の各測定セットとＢＳＡデータ内のロケーションとの間の対応を確立することと、ＢＳＡデータ内の対応するロケーションの記憶されたＢＳＡデータとともにサブセット内の各測定セットを集計することとを備えることができる。
【０１７７】
[00193]フローチャートおよびメッセージフローにおける本明細書で説明する方法は、適用例に応じて様々な手段によって実装できる。たとえば、これらの方法は、ハードウェア、ファームウェア、ソフトウェア、またはそれらの任意の組合せで実装できる。ハードウェア実装の場合、処理ユニット１２５２は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他の電子ユニット、またはそれらの組合せの中で実装され得る。
【０１７８】
[00194]本開示は、教育的目的のために特定の実施形態に関連して示されるが、本開示は、これに限定されない。様々な適合および変更が、範囲から逸脱せずに行われ得る。したがって、添付の特許請求の趣旨および範囲は、前述の説明に限定されてはならない。
以下に、出願当初の特許請求の範囲に記載された発明を付記する。
［Ｃ１］
複数のマップレイヤを有するマップを備えるロケーションアシスタンスデータを入手することと、ここにおいて、各マップレイヤは、基地局アルマナック（ＢＳＡ）内のロケーションをアンテナの空間的に変動する順方向リンク較正（ＦＬＣ）値に関連付け、
前記ロケーションアシスタンスデータに基づいて、前記アンテナの信号測定値を備える測定セットを入手するために測定を実行することと、ここにおいて、前記ロケーションアシスタンスデータ内の少なくとも１つの空間的に変動するＦＬＣ値を備える較正は、前記測定セット内の少なくとも１つの測定値に適用され、
前記測定セットをＢＳＡサーバに送ることと
を備える、移動局（ＭＳ）上の方法。
［Ｃ２］
ロケーションアシスタンスデータを入手することは、
前記ＭＳのポジションのロケーション推定値とロケーション不確実性推定値とに基づいて、ネットワークエンティティに少なくとも１つのマップレイヤを要求すること
を備える、Ｃ１に記載の方法。
［Ｃ３］
前記測定セットを入手するために測定を実行することは、前記少なくとも１つのマップレイヤ内で指定される期待される正確さと前記ＭＳの先験的ロケーション推定値とに基づいて信号獲得方法を選択することを備える、Ｃ１に記載の方法。
［Ｃ４］
前記ＭＳの前記先験的ロケーション推定値は、
前記ＭＳの最近のロケーション、または、
前記ＢＳＡ内の前記アンテナの境界を示すカバレージエリア情報、前記境界を示すカバレージエリア情報は、前記アンテナの受信信号強度情報を備え、
グローバルナビゲーションサテライトシステム（ＧＮＳＳ）ポジションフィックス、または、
ＧＮＳＳ測位ソースと非ＧＮＳＳ測位ソースとの組合せから入手されたハイブリッドポジションフィックス、前記非ＧＮＳＳソースは、地上送信機またはセンサのうちの１つまたは複数を備え、または
前記ＭＳの以前に計算されたロケーション
のうちの少なくとも１つに少なくとも部分的に基づいて決定される、Ｃ３に記載の方法。
［Ｃ５］
前記較正を前記測定セットに適用することによって前記ＭＳの改良されたロケーションと改良されたロケーション不確実性とを計算すること、ここにおいて、前記較正に使用される前記少なくとも１つの空間的に変動するＦＬＣ値は、前記先験的ポジション推定値のＦＬＣ値に対応する
をさらに備える、Ｃ３に記載の方法。
［Ｃ６］
前記ＭＳの前記改良されたロケーションと前記改良されたロケーション不確実性とに基づいて、ロケーションアシスタンスデータとして少なくとも１つの追加のマップレイヤを要求すること
をさらに備える、Ｃ５に記載の方法。
［Ｃ７］
前記追加のマップレイヤは、前記改良されたロケーションと前記改良されたロケーション不確実性とに対応する粒度で情報を提供する
Ｃ６に記載の方法。
［Ｃ８］
前記複数のマップレイヤは、
受信信号強度マップレイヤ、受信信号強度レイヤは、受信信号強度をマップロケーションに相関させ、または、
信号対雑音比（ＳＮＲ）マップレイヤ、前記ＳＮＲマップレイヤは、ＳＮＲをマップロケーションに相関させ、または、
見通し線（ＬＯＳ）マップレイヤ、前記ＬＯＳマップレイヤは、ＬＯＳ条件が１つもしくは複数のアンテナに関して可能性が高いマップロケーションを示し、
非見通し線マップレイヤ、ＮＬＯＳマップレイヤは、ＮＬＯＳ条件もしくはボディブロックド条件が１つもしくは複数のアンテナに関して可能性が高いマップロケーションを示し。
マルチパスマップレイヤ、前記マルチパスマップレイヤは、前記ＢＳＡ内のロケーションに関する前記アンテナのマルチパスの範囲の表示をさらに提供し、または
受信信号強度レイヤ、前記受信信号強度レイヤは、前記ＢＳＡ内のロケーションに関する前記アンテナの期待される絶対受信信号強度の表示をさらに提供する
のうちの少なくとも１つを備える、Ｃ１に記載の方法。
［Ｃ９］
前記複数のマップレイヤは、前記ＢＳＡ内のロケーションに関する前記アンテナのマルチパスの範囲の表示を提供するために少なくとも１つのマルチパスレイヤを備え、ここにおいて、前記少なくとも１つのマルチパスレイヤは、
前記アンテナの長シャドウ領域を示すための長シャドウレイヤ、前記長シャドウレイヤは、除外ゾーン、マルチパスの大きさの表示、および／もしくは前記長シャドウ領域内の前記アンテナの信号減衰レベルをさらに備え、または、
前記アンテナの短シャドウ領域を示すための短シャドウレイヤ、前記短シャドウレイヤは、前記短シャドウ領域内のアンテナ信号のタイミング粒度情報をさらに備え、または
前記アンテナの少なくとも１つのカバレージエリア内の一意の送信パターンを示すための送信するパターンレイヤ
のうちの少なくとも１つを備える、Ｃ１に記載の方法。
［Ｃ１０］
プロセッサと、ここにおいて、前記プロセッサは、
複数のマップレイヤを有するマップを備えるロケーションアシスタンスデータを入手し、ここにおいて、各マップレイヤは、基地局アルマナック（ＢＳＡ）内のロケーションをアンテナの空間的に変動する順方向リンク較正（ＦＬＣ）値に関連付け、
前記ロケーションアシスタンスデータに基づいて、前記アンテナの信号測定値を備える測定セットを入手するために測定を実行し、ここにおいて、前記ロケーションアシスタンスデータ内の少なくとも１つの空間的に変動するＦＬＣ値を備える較正は、前記測定セット内の少なくとも１つの測定値に適用される
ように構成され、
前記プロセッサに結合されたトランシーバと、前記トランシーバは、前記測定セットをＢＳＡサーバに送るためのものである
を備える移動局（ＭＳ）。
［Ｃ１１］
少なくとも１つのマップレイヤを有する前記マップを備えるロケーションアシスタンスデータを入手することを入手するために、前記プロセッサは、
前記ＭＳの測定ポジションのロケーション推定値とロケーション不確実性推定値とに基づいて、ネットワークエンティティに少なくとも１つのマップレイヤを要求する
ように構成される、Ｃ１０に記載のＭＳ。
［Ｃ１２］
前記測定セットを入手するために測定を実行するために、前記プロセッサは、
前記少なくとも１つのマップレイヤ内で指定される期待される正確さと前記ＭＳの先験的ロケーション推定値とに基づいて信号獲得方法を選択する
ように構成される、Ｃ１０に記載のＭＳ。
［Ｃ１３］
前記ＭＳの前記先験的ロケーション推定値は、
前記ＭＳの最近のロケーション、または、
前記ＢＳＡ内の前記アンテナの境界を示すカバレージエリア情報、前記境界を示すカバレージエリア情報は、前記アンテナの受信信号強度情報を備え、
グローバルナビゲーションサテライトシステム（ＧＮＳＳ）ポジションフィックス、または、
ＧＮＳＳ測位ソースと非ＧＮＳＳ測位ソースとの組合せから入手されたハイブリッドポジションフィックス、前記非ＧＮＳＳソースは、地上送信機またはセンサのうちの１つまたは複数を備え、または
前記ＭＳの以前に計算されたロケーション
のうちの少なくとも１つに少なくとも部分的に基づいて決定される、Ｃ１２に記載のＭＳ。
［Ｃ１４］
前記プロセッサは、
前記較正を前記測定セットに適用することによって前記ＭＳの改良されたロケーションと改良されたロケーション不確実性とを計算する、ここにおいて、前記較正に使用される前記少なくとも１つの空間的に変動するＦＬＣ値は、前記先験的ポジション推定値のＦＬＣ値に対応する
ようにさらに構成される、Ｃ１２に記載のＭＳ。
［Ｃ１５］
前記プロセッサは、
前記ＭＳの前記改良されたロケーションと前記改良されたロケーション不確実性とに基づいて、ロケーションアシスタンスデータとして少なくとも１つの追加のマップレイヤを要求する
ようにさらに構成される、Ｃ１４に記載のＭＳ。
［Ｃ１６］
前記追加のマップレイヤは、前記改良されたロケーションと前記改良されたロケーション不確実性とに対応する粒度で情報を提供する、Ｃ１５に記載のＭＳ。
［Ｃ１７］
前記複数のマップレイヤは、
受信信号強度マップレイヤ、受信信号強度レイヤは、受信信号強度をマップロケーションに相関させ、
信号対雑音比（ＳＮＲ）マップレイヤ、前記ＳＮＲマップレイヤは、ＳＮＲをマップロケーションに相関させ、または、
見通し線（ＬＯＳ）マップレイヤ、前記ＬＯＳマップレイヤは、ＬＯＳ条件が１つもしくは複数のアンテナに関して可能性が高いマップロケーションを示し、または、
非見通し線マップレイヤ、ＮＬＯＳマップレイヤは、ＮＬＯＳ条件もしくはボディブロックド条件が１つもしくは複数のアンテナに関して可能性が高いマップロケーションを示す
のうちの少なくとも１つを備える、Ｃ１０に記載のＭＳ。
［Ｃ１８］
前記複数のマップレイヤは、前記ＢＳＡ内のロケーションに関する前記アンテナのマルチパスの範囲の表示を提供するために少なくとも１つのマルチパスレイヤを備え、ここにおいて、前記少なくとも１つのマルチパスレイヤは、
前記アンテナの長シャドウ領域を示すための長シャドウレイヤ、前記長シャドウレイヤは、除外ゾーン、マルチパスの大きさの表示、および／もしくは前記長シャドウ領域内の前記アンテナの信号減衰レベルを備え、または、
前記アンテナの短シャドウ領域を示すための短シャドウレイヤ、前記短シャドウレイヤは、前記短シャドウ領域内のアンテナ信号のタイミング粒度情報を備え、または
前記アンテナの少なくとも１つのカバレージエリア内の一意の送信パターンを示すための送信するパターンレイヤ
のうちの少なくとも１つを備える、Ｃ１０に記載のＭＳ。
［Ｃ１９］
複数のマップレイヤを有するマップを備えるロケーションアシスタンスデータを入手するための手段と、ここにおいて、各マップレイヤは、基地局アルマナック（ＢＳＡ）内のロケーションをアンテナの空間的に変動する順方向リンク較正（ＦＬＣ）値に関連付け、
前記ロケーションアシスタンスデータに基づいて、前記アンテナの信号測定値を備える測定セットを入手するために測定を実行するための手段と、ここにおいて、前記ロケーションアシスタンスデータ内の少なくとも１つの空間的に変動するＦＬＣ値を備える較正は、前記測定セット内の少なくとも１つの測定値に適用され、
測定を実行するための前記手段に結合されたトランシーバ手段と、前記測定セットをＢＳＡサーバに送るための前記トランシーバ、
を備える、移動局（ＭＳ）。
［Ｃ２０］
前記測定セットを入手するために測定を実行するための手段は、
前記少なくとも１つのマップレイヤ内で指定される期待される正確さと前記ＭＳの先験的ロケーション推定値とに基づいて信号獲得方法を選択するための手段
を備える、Ｃ１９に記載のＭＳ。
［Ｃ２１］
前記較正を前記測定セットに適用することによって前記ＭＳの改良されたロケーションと改良されたロケーション不確実性とを計算するための手段、ここにおいて、前記較正に使用される前記少なくとも１つの空間的に変動するＦＬＣ値は、前記先験的ポジション推定値のＦＬＣ値に対応する
をさらに備える、Ｃ２０に記載のＭＳ。
［Ｃ２２］
前記ＭＳの前記改良されたロケーションと前記改良されたロケーション不確実性とに基づいて、ロケーションアシスタンスデータとして少なくとも１つの追加のマップレイヤを要求するための手段
をさらに備える、Ｃ２１に記載のＭＳ。
［Ｃ２３］
前記複数のマップレイヤは、
受信信号強度マップレイヤ、受信信号強度レイヤは、受信信号強度をマップロケーションに相関させ、
信号対雑音比（ＳＮＲ）マップレイヤ、前記ＳＮＲマップレイヤは、ＳＮＲをマップロケーションに相関させ、または、
見通し線（ＬＯＳ）マップレイヤ、前記ＬＯＳマップレイヤは、ＬＯＳ条件が１つもしくは複数のアンテナに関して可能性が高いマップロケーションを示し、または、
非見通し線マップレイヤ、ＮＬＯＳマップレイヤは、ＮＬＯＳ条件もしくはボディブロックド条件が１つもしくは複数のアンテナに関して可能性が高いマップロケーションを示す
のうちの少なくとも１つを備える、Ｃ１９に記載のＭＳ。
［Ｃ２４］
前記複数のマップレイヤは、前記ＢＳＡ内のロケーションに関する前記アンテナのマルチパスの範囲の表示を提供するために少なくとも１つのマルチパスレイヤを備え、ここにおいて、前記少なくとも１つのマルチパスレイヤは、
前記アンテナの長シャドウ領域を示すための長シャドウレイヤ、前記長シャドウレイヤは、除外ゾーン、マルチパスの大きさの表示、および／もしくは前記長シャドウ領域内の前記アンテナの信号減衰レベルを備え、または、
前記アンテナの短シャドウ領域を示すための短シャドウレイヤ、前記短シャドウレイヤは、前記短シャドウ領域内のアンテナ信号のタイミング粒度情報を備え、または
前記アンテナの少なくとも１つのカバレージエリア内の一意の送信パターンを示すための送信するパターンレイヤ
のうちの少なくとも１つをさらに備える、Ｃ１９に記載のＭＳ。
［Ｃ２５］
プロセッサによって実行された時に、
複数のマップレイヤを有するマップを備えるロケーションアシスタンスデータを入手することと、ここにおいて、各マップレイヤは、基地局アルマナック（ＢＳＡ）内のロケーションをアンテナの空間的に変動する順方向リンク較正（ＦＬＣ）値に関連付け、
前記ロケーションアシスタンスデータに基づいて、前記アンテナの信号測定値を備える測定セットを入手するために測定を実行することと、ここにおいて、前記ロケーションアシスタンスデータ内の少なくとも１つの空間的に変動するＦＬＣ値を備える較正は、前記測定セット内の少なくとも１つの測定値に適用され、
前記測定セットをＢＳＡサーバに送ることと
を備える移動局（ＭＳ）上の方法内のステップを実行する命令を備えるコンピュータ可読媒体。
［Ｃ２６］
前記測定セットを入手するために測定を実行することは、前記少なくとも１つのマップレイヤ内で指定される期待される正確さと前記ＭＳの先験的ロケーション推定値とに基づいて信号獲得方法を選択することを備える、Ｃ２５に記載のコンピュータ可読媒体。
［Ｃ２７］
前記較正を前記測定セットに適用することによって前記ＭＳの改良されたロケーションと改良されたロケーション不確実性とを計算すること、ここにおいて、前記較正に使用される前記少なくとも１つの空間的に変動するＦＬＣ値は、前記先験的ポジション推定値のＦＬＣ値に対応する
をさらに備える、Ｃ２６に記載のコンピュータ可読媒体。
［Ｃ２８］
前記ＭＳの前記改良されたロケーションと前記改良されたロケーション不確実性とに基づいて、ロケーションアシスタンスデータとして少なくとも１つの追加のマップレイヤを要求すること
をさらに備える、Ｃ２７に記載のコンピュータ可読媒体。
［Ｃ２９］
前記複数のマップレイヤは、
受信信号強度マップレイヤ、受信信号強度レイヤは、受信信号強度をマップロケーションに相関させ、
信号対雑音比（ＳＮＲ）マップレイヤ、前記ＳＮＲマップレイヤは、ＳＮＲをマップロケーションに相関させ、または、
見通し線（ＬＯＳ）マップレイヤ、前記ＬＯＳマップレイヤは、ＬＯＳ条件が１つもしくは複数のアンテナに関して可能性が高いマップロケーションを示し、または、
非見通し線マップレイヤ、ＮＬＯＳマップレイヤは、ＮＬＯＳ条件もしくはボディブロックド条件が１つもしくは複数のアンテナに関して可能性が高いマップロケーションを示す
のうちの少なくとも１つを備える、Ｃ２５に記載のコンピュータ可読媒体。
［Ｃ３０］
前記複数のマップレイヤは、前記ＢＳＡ内のロケーションに関する前記アンテナのマルチパスの範囲の表示を提供するために少なくとも１つのマルチパスレイヤを備え、ここにおいて、前記少なくとも１つのマルチパスレイヤは、
前記アンテナの長シャドウ領域を示すための長シャドウレイヤ、前記長シャドウレイヤは、除外ゾーン、マルチパスの大きさの表示、および／もしくは前記長シャドウ領域内の前記アンテナの信号減衰レベルを備え、または、
前記アンテナの短シャドウ領域を示すための短シャドウレイヤ、前記短シャドウレイヤは、前記短シャドウ領域内のアンテナ信号のタイミング粒度情報を備え、または
前記アンテナの少なくとも１つのカバレージエリア内の一意の送信パターンを示すための送信するパターンレイヤ
のうちの少なくとも１つをさらに備える、Ｃ２５に記載のコンピュータ可読媒体。
【図１】
0006042568.tif 000003
【図２】
0006042568.tif 000004
【図４Ｃ】
0006042568.tif 000005
【図７】
0006042568.tif 000006
【図８】
0006042568.tif 000007
【図９】
0006042568.tif 000008
【図１０】
0006042568.tif 000009
【図１１】
0006042568.tif 000010
【図１２】
0006042568.tif 000011
【図１３】
0006042568.tif 000012
【図１４】
0006042568.tif 000013
【図３】
0006042568.tif 000014
【図４Ａ】
0006042568.tif 000015
【図４Ｂ】
0006042568.tif 000016
【図５】
0006042568.tif 000017
【図６】
0006042568.tif 000018